(57)【特許請求の範囲】
【請求項１】
ユーザ装置（ＵＥ）によって実行される無線通信方法であって、
アイドルモードシグナリングリダクション（ＩＳＲ）がアクティブである間に第１のネットワークから第２のネットワークへの無線アクセス技術（ＲＡＴ）間モビリティ手順を実施することと、
前記ＵＥが前記第２のネットワークのルーティングまたはトラッキングエリア内で以前に登録したかどうかを決定することと、
前記ＲＡＴ間モビリティ手順の完了に関連して、および前記ＵＥが前記第２のネットワークの前記ルーティングまたはトラッキングエリア内で以前に登録したと決定することに基づいてＩＳＲをローカルで非アクティブ化することと、
前記第２のネットワークにおいて位置管理手順を開始することと、
を備え、
前記第１のネットワークは、ＧＳＭネットワークを備え、前記第２のネットワークは、ＬＴＥネットワークを備え、前記方法は、
前記ＧＳＭネットワークの接続された状態にある間にセル変更命令（ＣＣＯ）を受信することと、
前記ＣＣＯに応答して前記ＧＳＭネットワークから前記ＬＴＥネットワークへの前記モビリティ手順を実施することと、
をさらに備える、方法。
【請求項２】
前記位置管理手順を開始することは、ＩＳＲをローカルで非アクティブ化することに応答して前記ＬＴＥネットワークにおいてトラッキングエリア更新（ＴＡＵ）を送信することを備える、請求項１に記載の方法。
【請求項３】
前記ＧＳＭネットワークに関するモビリティ状態を検出することと、
前記ＵＥが、前記モビリティ状態を検出することに応答してセル再選択手順を開始することと、
をさらに備える、請求項１に記載の方法。
【請求項４】
前記第１のネットワークは、ＧＳＭ／Ｅｄｇｅ無線アクセスネットワーク（ＧＥＲＡＮ）を備え、前記第２のネットワークは、エボルブドユニバーサル移動体通信システム地上無線アクセスネットワーク（Ｅ−ＵＴＲＡＮ）を備える、請求項１に記載の方法。
【請求項５】
前記ＲＡＴ間モビリティ手順は、前記第１のネットワークから受信されたセル変更命令（ＣＣＯ）に応答して実施され、
位置管理手順を開始することは、トラッキングエリア更新（ＴＡＵ）要求を送信することを備える、請求項４に記載の方法。
【請求項６】
前記ＵＥは、前記ＧＥＲＡＮにおいてパケット転送モード（ＰＴＭ）で接続され、
前記ＲＡＴ間モビリティ手順は、ローカルで開始されたセル再選択に応答して実施され、
位置管理手順を開始することは、トラッキングエリア更新（ＴＡＵ）要求を送信することを備える、請求項４に記載の方法。
【請求項７】
ユーザ装置（ＵＥ）によって実行される無線通信方法であって、
アイドルモードシグナリングリダクション（ＩＳＲ）がアクティブである間に第１のネットワークから第２のネットワークへの無線アクセス技術（ＲＡＴ）間モビリティ手順を実施することと、
前記ＵＥが前記第２のネットワークのルーティングまたはトラッキングエリア内で以前に登録したかどうかを決定することと、
前記ＲＡＴ間モビリティ手順の完了に関連して、および前記ＵＥが前記第２のネットワークの前記ルーティングまたはトラッキングエリア内で以前に登録したと決定することに基づいてＩＳＲをローカルで非アクティブ化することと、
前記第２のネットワークにおいて位置管理手順を開始することと、
を備え、
前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
前記モビリティ手順は、回線交換（ＣＳ）フォールバックに関して開始される、方法。
【請求項８】
前記第１のネットワークから前記第２のネットワークへの移動が失敗したかどうかを決定することと、
前記移動が失敗したと決定されたときにＣＳ能力を有するＲＡＴを自律的に再選択することと、
をさらに備える、請求項７に記載の方法。
【請求項９】
前記ＧＥＲＡＮにおいて低層送信許可を取得することと、
接続管理サービス要求、ページング応答、及び位置更新のうちの１つ以上をモバイル交換センターに送信することと、
をさらに備える、請求項７に記載の方法。
【請求項１０】
無線通信のための装置であって、
アイドルモードシグナリングリダクション（ＩＳＲ）がアクティブである間に第１のネットワークから第２のネットワークへの無線アクセス技術（ＲＡＴ）間モビリティ手順を実施するための手段と、
前記ＵＥが前記第２のネットワークのルーティングまたはトラッキングエリア内で以前に登録したかどうかを決定するための手段と、
前記ＲＡＴ間モビリティ手順の完了に関連して、および前記ＵＥが前記第２のネットワークの前記ルーティングまたはトラッキングエリア内で以前に登録したと決定することに基づいてＩＳＲをローカルで非アクティブ化するための手段と、
前記第２のネットワークにおいて位置管理手順を開始するための手段と、
を備え、
前記第１のネットワークは、ＧＳＭネットワークを備え、前記第２のネットワークは、ＬＴＥネットワークを備え、前記装置は、
前記ＧＳＭネットワークの接続された状態にある間にセル変更命令（ＣＣＯ）を受信するための手段と、
前記ＣＣＯに応答して前記ＧＳＭネットワークから前記ＬＴＥネットワークへの前記モビリティ手順を実施するための手段と、
をさらに備える、装置。
【請求項１１】
前記位置管理手順を開始するための前記手段は、前記ＩＳＲがローカルで非アクティブ化されることに応答して前記ＬＴＥネットワークにおいてトラッキングエリア更新（ＴＡＵ）を送信するように構成される、請求項１０に記載の装置。
【請求項１２】
前記ＧＳＭネットワークに関するモビリティ状態を検出するための手段と、
前記ＵＥが、前記モビリティ状態を検出することに応答してセル再選択手順を開始するための手段と、
をさらに備える、請求項１０に記載の装置。
【請求項１３】
前記第１のネットワークは、ＧＳＭ／Ｅｄｇｅ無線アクセスネットワーク（ＧＥＲＡＮ）を備え、前記第２のネットワークは、エボルブドユニバーサル移動体通信システム地上無線アクセスネットワーク（Ｅ−ＵＴＲＡＮ）を備える、請求項１０に記載の装置。
【請求項１４】
ＲＡＴ間モビリティ手順を実施するための前記手段は、前記第１のネットワークから受信されたセル変更命令（ＣＣＯ）に応答して実施するように構成され、
位置管理手順を開始するための前記手段は、トラッキングエリア更新（ＴＡＵ）要求を送信するように構成される、請求項１３に記載の装置。
【請求項１５】
前記ＵＥは、前記ＧＥＲＡＮにおいてパケット転送モード（ＰＴＭ）で接続するように構成され、
ＲＡＴ間モビリティ手順を実施するための前記手段は、ローカルで開始されたセル再選択に応答して実施するように構成され、
位置管理手順を開始するための前記手段は、トラッキングエリア更新（ＴＡＵ）要求を送信するように構成される、請求項１３に記載の装置。
【請求項１６】
無線通信のための装置であって、
アイドルモードシグナリングリダクション（ＩＳＲ）がアクティブである間に第１のネットワークから第２のネットワークへの無線アクセス技術（ＲＡＴ）間モビリティ手順を実施するための手段と、
前記ＵＥが前記第２のネットワークのルーティングまたはトラッキングエリア内で以前に登録したかどうかを決定するための手段と、
前記ＲＡＴ間モビリティ手順の完了に関連して、および前記ＵＥが前記第２のネットワークの前記ルーティングまたはトラッキングエリア内で以前に登録したと決定することに基づいてＩＳＲをローカルで非アクティブ化するための手段と、
前記第２のネットワークにおいて位置管理手順を開始するための手段と、
を備え、
前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
前記モビリティ手順は、回線交換（ＣＳ）フォールバックに関して開始される、装置。
【請求項１７】
前記第１のネットワークから前記第２のネットワークへの移動が失敗したかどうかを決定するための手段と、
前記移動が失敗したと決定されたときにＣＳ能力を有するＲＡＴを自律的に再選択するための手段と、
をさらに備える、請求項１６に記載の装置。
【請求項１８】
前記ＧＥＲＡＮにおいて低層送信許可を取得するための手段と、
接続管理サービス要求、ページング応答、及び位置更新のうちの１つ以上をモバイル交換センターに送信するための手段と、
をさらに備える、請求項１６に記載の装置。
【請求項１９】
無線通信のための装置であって、
メモリと、
前記メモリに結合され、
アイドルモードシグナリングリダクション（ＩＳＲ）がアクティブである間に第１のネットワークから第２のネットワークへの無線アクセス技術（ＲＡＴ）間モビリティ手順を実施し、
前記ＵＥが前記第２のネットワークのルーティングまたはトラッキングエリア内で以前に登録したかどうかを決定し、
前記ＲＡＴ間モビリティ手順の完了に関連して、および前記ＵＥが前記第２のネットワークの前記ルーティングまたはトラッキングエリア内で以前に登録したと決定することに基づいてＩＳＲをローカルで非アクティブ化し、及び
前記第２のネットワークにおいて位置管理手順を開始する
ように構成される少なくとも１つのプロセッサと、
を備え、
前記第１のネットワークは、ＧＳＭネットワークを備え、前記第２のネットワークは、ＬＴＥネットワークを備え、前記少なくとも１つのプロセッサは、
前記ＧＳＭネットワークの接続された状態にある間にセル変更命令（ＣＣＯ）を受信することと、
前記ＣＣＯに応答して前記ＧＳＭネットワークから前記ＬＴＥネットワークへの前記モビリティ手順を実施することと、
をさらに備える、装置。
【請求項２０】
無線通信のためのコンピュータ実行可能コードを記憶する非一時的なコンピュータによって読み取り可能な記憶媒体であって、
アイドルモードシグナリングリダクション（ＩＳＲ）がアクティブである間に第１のネットワークから第２のネットワークへの無線アクセス技術（ＲＡＴ）間モビリティ手順を実施し、
前記ＵＥが前記第２のネットワークのルーティングまたはトラッキングエリア内で以前に登録したかどうかを決定し、
前記ＲＡＴ間モビリティ手順の完了に関連して、および前記ＵＥが前記第２のネットワークの前記ルーティングまたはトラッキングエリア内で以前に登録したと決定することに基づいてＩＳＲをローカルで非アクティブ化し、及び
前記第２のネットワークにおいて位置管理手順を開始する
ためのコードを備え、
前記第１のネットワークは、ＧＳＭネットワークを備え、前記第２のネットワークは、ＬＴＥネットワークを備え、前記記憶媒体は、
前記ＧＳＭネットワークの接続された状態にある間にセル変更命令（ＣＣＯ）を受信し、
前記ＣＣＯに応答して前記ＧＳＭネットワークから前記ＬＴＥネットワークへの前記モビリティ手順を実施する、
ためのコードをさらに備える、非一時的なコンピュータによって読み取り可能な記憶媒体。
【発明の詳細な説明】
【技術分野】
【０００１】
［０００１］本開示は、概して、通信システムに関するものである。本開示は、より具体的には、無線通信システムにおけるセル間移行のための方法に関するものである。
【背景技術】
【０００２】
［０００２］様々な電気通信サービス、例えば、テレフォニー、映像、データ、メッセージング、ブロードキャスト、等、を提供することを目的として無線通信システムが広範囲にわたって配備されている。典型的な無線通信システムは、利用可能なシステムリソース（例えば、帯域幅、送信電力）を共有することによって複数のユーザとの通信をサポートすることが可能な多元接続技術を採用することができる。該多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一搬送波周波数分割多元接続（ＳＣ−ＦＤＭＡ）システムと、時分割同期符号分割多元接続（ＴＤ−ＳＣＤＭＡ）システムと、を含む。
【０００３】
［０００３］これらの多元接続技術は、異なる無線デバイスが地方自治体、国、地域、さらには地球レベルで通信するのを可能にする共通プロトコルを提供するために様々な電気通信規格で採用されている。新生の電気通信規格の一例は、ロングタームエボリューション（Ｌｏｎｇ  Ｔｅｒｍ  Ｅｖｏｌｕｔｉｏｎ）（ＬＴＥ）である。ＬＴＥは、第３世代パートナーシッププロジェクト（３ＧＰＰ）によって公布されたユニバーサル移動体通信システム（ＵＭＴＳ）モバイル規格の一組の拡張である。それは、スペクトル効率を向上させることによってモバイルブロードバンドインターネットアクセスをより良くサポートし、コストを低減させ、サービスを向上させ、新スペクトルを利用し、及びダウンリンク（ＤＬ）でのＯＦＤＭＡ、アップリンク（ＵＬ）でのＳＣ−ＦＤＭＡ、及び多入力多出力（ＭＩＭＯ）アンテナ技術を使用するその他のオープン規格とより良く統合するように設計されている。しかしながら、モバイルブロードバンドアクセス要求が増大し続けるのに従い、ＬＴＥ技術のさらなる改良の必要性が存在する。好ましくは、これらの改良は、その他の多元接続技術及びこれらの技術を採用する電気通信規格に適用可能であるべきである。
【発明の概要】
【０００４】
［０００４］本開示の一態様では、無線通信方法は、モビリティコマンド（ｍｏｂｉｌｉｔｙ  ｃｏｍｍａｎｄ）、例えば、セル変更命令（ＣＣＯ）、が受信されたときに又は再選択が行われたときにアイドルモードシグナリングリダクション（Ｉｄｌｅ  ｍｏｄｅ  Ｓｉｇｎａｌｉｎｇ  Ｒｅｄｕｃｔｉｏｎ）（ＩＳＲ）を無視するか又はローカルで非アクティブ化する（ｄｅａｃｔｉｖａｔｅ）。
【０００５】
［０００５］本開示の一態様では、ユーザ装置（ＵＥ）は、ＩＳＲがアクティブである間にモビリティ手順（ｍｏｂｉｌｉｔｙ  ｐｒｏｃｅｄｕｒｅ）が要求されることを決定することができる。モビリティ手順は、モビリティコマンドが受信されるか又は再選択が要求されるときに要求することができる。モビリティコマンドは、ＣＣＯを備えることができる。モビリティコマンドを受信した時点で、ＵＥは、第１のネットワークから第２のネットワークに移動することができる。ＵＥは、第２のネットワークにおいて位置管理手順を開始することができる。ＵＥは、ネットワークを更新するためにアップリンク信号を送信することができる。幾つかの実施形態では、位置管理手順を開始することは、ＩＳＲをローカルで非アクティブ化することを含む。幾つかの実施形態では、ＵＥは、ＩＳＲを無視することができる。
【０００６】
［０００６］本開示の一態様では、位置管理手順を開始することは、ルーティングエリア更新（ＲＡＵ）要求、トラッキングエリア更新（ＴＡＵ）要求、及びセル更新要求のうちの１つ以上を備える更新要求をアップリンク信号で送信することを含む。更新要求を送信することは、ＵＥに割り当てられたリソースを解放することをネットワークゲートウェイに行わせることができる。
【０００７】
［０００７］一例では、第２のネットワークは、ＧＳＭ（登録商標）／Ｅｄｇｅ無線アクセスネットワーク（ＧＥＲＡＮ）を備えることができ、位置管理手順は、ＲＡＵ手順を備えることができる。他の例では、第２のネットワークは、ＧＥＲＡＮを備え、位置管理手順を開始することは、セル更新メッセージ又はセル通知メッセージのうちの少なくとも１つを送信することを含む。他の例では、第２のネットワークは、エボルブドユニバーサル移動体通信システム地上無線アクセスネットワーク（Ｅ−ＵＴＲＡＮ）を備え、位置管理手順は、ＴＡＵ手順を備える。
【０００８】
［０００８］本開示の一態様では、第１のネットワークは、第２のネットワークによって採用された無線アクセス技術（ＲＡＴ）と異なるＲＡＴを採用することができる。一例では、第１のネットワークは、ＧＥＲＡＮを備え、第２のネットワークは、Ｅ−ＵＴＲＡＮを備え、モビリティコマンドは、ＣＣＯコマンドを備える。他の例では、第１のネットワークは、ＧＥＲＡＮを備え、第２のネットワークは、Ｅ−ＵＴＲＡＮを備え、モビリティコマンドは、ＧＥＲＡＮパケット転送モードからの再選択を備える。
【０００９】
本開示の一態様では、ＵＥは、第２のネットワークで送信するためにデータが入手可能であるかどうかを決定し、データが入手可能でないと決定されたときにパケットネットワークでの送信のためのデータを生成し、生成されたデータを送信するための許可を第２のネットワークの基地局から得るためのアップリンク信号を送信する。パケットネットワークでの送信のために生成されたデータは、第２のネットワークがＧＥＲＡＮである場合はヌルＬＬＣ  ＰＤＵを備えることができる。アップリンク信号を送信することは、チャネル要求を送信することを備えることができる。位置管理手順を開始することは、ＲＡＵ要求又はＴＡＵ要求をサービング汎用パケット無線サービスサポートノード（ＳＧＳＮ）に送信することを備えることができる。位置管理手順を開始することは、セル更新メッセージ又はセル通知メッセージをＳＧＳＮに送信することを備えることができる。
【００１０】
［００１０］他の態様では、無線通信のための方法、装置、及びコンピュータプログラム製品が提供され、ユーザ装置は、アイドルモードシグナリングリダクション（ＩＳＲ）がアクティブである間に第１のネットワークから第２のネットワークへの無線アクセス技術（ＲＡＴ）間モビリティ手順を行い、ＲＡＴ間モビリティ手順の完了に関連させてＩＳＲをローカルで非アクティブ化し、第２のネットワークで位置管理手順を開始する。第１及び第２のネットワークの各々のタイプ、及び第１のネットワークに関するＵＥの接続状態に依存して、第１のネットワークから受信されたモビリティコマンドに応答して、又はＵＥによって検出された第１のネットワークのモビリティ状態に応答して、モビリティ手順を実施することができる。
【図面の簡単な説明】
【００１１】
［００１１］
【図１】ネットワークアーキテクチャの例を示した図である。
【００１２】
［００１２］
【図２】アクセスネットワークの例を示した図である。
【００１３】
［００１３］
【図３】ＬＴＥにおけるＤＬフレーム構造の例を示した図である。
【００１４】
［００１４］
【図４】ＬＴＥにおけるＵＬフレーム構造の例を示した図である。
【００１５】
［００１５］
【図５】ユーザ及び制御プレーンに関する無線プロトコルアーキテクチャの例を示した図である。
【００１６】
［００１６］
【図６】アクセスネットワークにおけるエボルブドノードＢ及びユーザ装置の例を示した図である。
【００１７】
［００１７］
【図７】無線アクセス技術を例示したブロック図である。
【００１８】
［００１８］
【図８】無線アクセス技術を例示したタイミング図である。
【００１９】
［００１９］
【図９】無線アクセス技術を例示したタイミング図である。
【００２０】
【図１０】
【００２１】
［００２０］
【図１１】無線通信方法のフローチャートである。
【００２２】
［００２１］
【図１２】典型的な装置における異なるモジュール／手段／コンポーネント間でのデータの流れを例示した概念的データフロー図である。
【００２３】
［００２２］
【図１３】処理システムを採用する装置に関するハードウェア実装の例を示した図である。
【００２４】
［００２３］
【図１４】無線通信方法のフローチャートである。
【００２５】
［００２４］
【図１５】典型的な装置における異なるモジュール／手段／コンポーネント間でのデータの流れを例示した概念的データフロー図である。
【００２６】
［００２５］
【図１６】処理システムを採用する装置に関するハードウェア実装の例を示した図である。
【発明を実施するための形態】
【００２７】
添付図と関係させて以下において示される詳細な発明を実施するための形態は、様々な構成の説明であることが意図され、ここにおいて説明される概念を実践することができる構成のみを表すことは意図されない。詳細な発明を実施するための形態は、様々な概念の徹底的な理解を提供することを目的とする特定の詳細を含む。しかしながら、これらの概念はこれらの具体的な詳細なしに実践可能であることが当業者にとって明確であろう。幾つかの例においては、該概念を曖昧にすることを回避するためによく知られた構造及びコンポーネントはブロック図形で示される。
【００２８】
今度は、電気通信システムの幾つかの態様が様々な装置及び方法を参照して提示される。これらの装置及び方法は、以下の詳細な発明を実施するための形態において説明され、様々なブロック、モジュール、コンポーネント、回路、ステップ、プロセス、アルゴリズム、等（総称して“要素”と呼ばれる）によって添付図において例示される。これらの要素は、電子ハードウェア、コンピュータソフトウェア、又はそれらのあらゆる組み合わせを用いて実装することができる。該要素がハードウェア又はソフトウェアとして実装されるかは、特定の用途及び全体的システムに対して課せられた設計上の制約事項に依存する。
【００２９】
一例として、要素、要素のいずれかの一部分、又は要素のあらゆる組み合わせは、１つ以上のプロセッサを含む“処理システム”を用いて実装することができる。プロセッサの例は、この開示全体を通じて説明される様々な機能を果たすように構成されたマイクロプロセッサと、マイクロコントローラと、デジタル信号プロセッサ（ＤＳＰ）と、フィールドプログラマブルゲートアレイ（ＦＰＧＡ）と、プログラマブル論理デバイス（ＰＬＤ）と、ステートマシンと、ゲーテッド（ｇａｔｅｄ）ロジックと、ディスクリートハードウェア回路と、その他の適切なハードウェアと、を含む。処理システム内の１つ以上のプロセッサが、ソフトウェアを実行することができる。ソフトウェアは、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エクセキュータブル（ｅｘｅｃｕｔａｂｌｅ）、実行スレッド、プロシージャ、関数、等を意味すると広義に解釈されるものとし、ソフトウェア、ファームウェア、ミドルウェア、マイクロコード、ハードウェア記述言語、又はその他のいずれとして呼ばれるかを問わない。
【００３０】
従って、１つ以上の典型的な実施形態では、説明される機能は、ハードウェア、ソフトウェア、ファームウェア、又はそれらのあらゆる組み合わせにおいて実装することができる。ソフトウェアにおいて実装される場合は、これらの機能は、コンピュータによって読み取り可能な媒体において１つ以上の命令又はコードとして格納すること又は符号化することができる。コンピュータによって読み取り可能な媒体は、コンピュータ記憶媒体を含む。記憶媒体は、コンピュータによってアクセスすることができるあらゆるその他の利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコードを搬送又は格納するために使用することができ及びコンピュータによってアクセス可能なあらゆるその他の媒体、を含むことができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは、通常は磁気的にデータを複製し、ｄｉｓｃは、レーザを用いて光学的にデータを複製する。上記の組合せも、コンピュータによって読み取り可能な媒体の適用範囲に含められるべきである。
【００３１】
図１は、ＬＴＥネットワークアーキテクチャ１００を例示した図である。ＬＴＥネットワークアーキテクチャ１００は、エボルブドパケットシステム（Ｅｖｏｌｖｅｄ  Ｐａｃｋｅｔ  Ｓｙｓｔｅｍ）（ＥＰＳ）１００と呼ぶことができる。ＥＰＳ１００は、１つ以上のＵＥ１０２と、Ｅ−ＵＴＲＡＮ１０４と、エボルブドパケットコア（ＥＰＣ）１１０と、ホームサブスクライバサーバ（ＨＳＳ）１２０と、オペレータのＩＰサービス１２２と、を含むことができる。ＥＰＳは、その他のアクセスネットワークと相互接続可能であるが、簡略化を目的として、これらのエンティティ／インタフェースは示されていない。示されるように、ＥＰＳは、パケット交換サービスを提供するが、当業者は簡単に評価するように、本開示全体を通じて提示される様々な概念は、回線交換サービスを提供するネットワークに拡張することができる。
【００３２】
［００３１］Ｅ−ＵＴＲＡＮは、エボルブドノードＢ（ｅＮＢ）１０６と、その他のｅＮＢ１０８と、を含む。ｅＮＢ１０６は、ＵＥ１０２に向けてのユーザ及び制御プレーンプロトコル終端を提供する。ｅＮＢ１０６は、Ｘ２インタフェース（例えば、バックホール）を介してその他のｅＮＢ１０８に接続することができる。ｅＮＢ１０６は、基地局、ベーストランシーバ局、無線基地局、無線トランシーバ、トランシーバファンクション、ベーシックサービスセット（ＢＳＳ）、拡張サービスセット（ＥＳＳ）、又はその他の適切な用語で呼ばれることもある。ｅＮＢ１０６は、ＵＥ１０２に関するＥＰＣ１１０にアクセスポイントを提供する。ＵＥ１０２の例は、携帯電話、スマートフォン、セッション開始プロトコル（ＳＩＰ）フォン、ラップトップ、パーソナルデジタルアシスタント（ＰＤＡ）、衛星無線、全地球測位システム、マルチメディアデバイス、ビデオデバイス、デジタルオーディオプレーヤー（例えば、ＭＰ３プレーヤー）、カメラ、ゲームコンソール、又はその他の同様の機能を有するデバイスを含む。ＵＥ１０２は、当業者によって、移動局、加入者局、モバイルユニット、加入者ユニット、無線ユニット、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、又はその他の適切な用語で呼ばれることもある。
【００３３】
［００３２］ｅＮＢ１０６は、Ｓ１インタフェースによってＥＰＣ１１０に接続される。ＥＰＣ１１０は、モビリティ管理エンティティ（ＭＭＥ）１１２と、その他のＭＭＥ１１４と、サーヒングゲートウェイ１１６と、パケットデータネットワーク（ＰＤＮ）ゲートウェイ１１８と、を含む。ＭＭＥ１１２は、ＵＥ１０２とＥＰＣ１１０との間のシグナリングを処理する制御ノードである。概して、ＭＭＥ１１２は、ベアラ及び接続管理を提供する。すべてのユーザＩＰパケットがサービングゲートウェイ１１６を通じて転送され、それ自体はＰＤＮゲートウェイ１１８に接続される。ＰＤＮゲートウェイ１１８は、ＵＥ  ＩＰアドレス割り当て及びその他の機能を提供する。ＰＤＮゲートウェイ１１８は、オペレータのＩＰサービス１２２に接続される。オペレータのＩＰサービス１２２は、インターネットと、イントラネットと、ＩＰマルチメディアサブシステム（ＩＭＳ）と、ＰＳストリーミングサービス（ＰＳＳ）と、を含むことができる。
【００３４】
［００３３］図２は、ＬＴＥネットワークアーキテクチャにおけるアクセスネットワーク２００の例を示した図である。この例では、アクセスネットワーク２００は、幾つかのセルラー領域（セル）２０２に分割される。１つ以上のより低い電力クラスのｅＮＢ２０８が、セル２０２のうちの１つ以上と重なり合うセルラー領域２１０を有することができる。より低い電力クラスのｅＮＢ２０８は、フェムトセル（例えば、ホームｅＮＢ（ＨｅＮＢ））、ピコセル、マイクロセル、又はリモートラジオヘッド（ＲＲＨ）であることができる。マクロｅＮＢ２０４は、各々、各々のセル２０２に割り当てられ、セル２０２内のすべてのＵＥ２０６に関してＥＰＣ１１０にアクセスポイントを提供するように構成される。アクセスネットワーク２００のこの例では集中型のコントローラは存在しないが、代替構成では集中型のコントローラを使用することができる。ｅＮＢ２０４は、無線ベアラ制御、アドミッション制御、モビリティ制御、スケジューリング、セキュリティ、及びサービングゲートウェイ１１６への接続性を含むすべての無線関連機能を担当する。
【００３５】
［００３４］アクセスネットワーク２００によって採用される変調及び多元接続方式は、展開されている特定の電気通信規格に依存して異なることができる。ＬＴＥ用途では、周波数分割複信（ＦＤＤ）及び時分割複信（ＴＤＤ）の両方をサポートするためにＤＬではＯＦＤＭが使用され、ＵＬではＳＣ−ＦＤＭＡが使用される。当業者が以下の詳細な説明から容易に評価するように、ここにおいて提示される様々な概念は、ＬＴＥ用途に非常に適する。しかしながら、これらの概念は、その他の変調及び多元接続技法を採用するその他の電気通信規格に容易に拡張することができる。例として、これらの概念は、Ｅｖｏｌｕｔｉｏｎ−Ｄａｔａ  Ｏｐｔｉｍｉｚｅｄ（ＥＶ−ＤＯ）又はウルトラモバイルブロードバンド（ＵＭＢ）に拡張することができる。ＥＶ−ＤＯ及びＵＭＢは、ＣＤＭＡ２０００規格系統の一部として第３世代パートナーシッププロジェクト２（３ＧＰＰ２）によって公布されたエアインタフェース規格であり、移動局にブロードバンドインターネットアクセスを提供するためにＣＤＭＡを採用する。これらの概念は、ワイドバンド−ＣＤＭＡ（Ｗ−ＣＤＭＡ）及びＣＤＭＡのその他の変形、例えば、ＴＤ−ＳＣＤＭＡ、を採用するユニバーサル地上無線アクセス（ＵＴＲＡ）、ＴＤＭＡを採用するグローバル移動体通信システム（ＧＳＭ）、及びＯＦＤＭＡを採用するエボルブドＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、及びＦｌａｓｈ−ＯＦＤＭに対しても拡張することができる。ＵＴＲＡ、Ｅ−ＵＴＲＡ、ＵＭＴＳ、ＬＴＥ及びＧＳＭは、３ＧＰＰ組織からの文書において記述される。ＣＤＭＡ２０００及びＵＭＢは、３ＧＰＰ２組織からの文書において記述される。実際の無線通信規格及び採用される多元接続技術は、特定の用途及びシステムに課せられた全体的な設計上の制約事項に依存する。
【００３６】
［００３５］ｅＮＢ２０４は、ＭＩＭＯ技術をサポートする複数のアンテナを有することができる。ＭＩＭＯ技術の使用は、ｅＮＢ２０４が空間多重化、ビーム形成、及び送信ダイバーシティをサポートするために空間領域を利用するのを可能にする。空間多重化は、異なるストリームのデータを同じ周波数で同時に送信するために使用することができる。データストリームは、データレートを増大させるために単一のＵＥ２０６に送信すること又は全体的システムの容量を増大させるために複数のＵＥ２０６に送信することができる。これは、各データストリームを空間的にプリコーディングし（すなわち、振幅及び位相のスケーリングを適用し）、次に、各々の空間的にプリコーディングされたストリームをＤＬで複数の送信アンテナを通じて送信することによって達成される。空間的にプリコーディングされたデータストリームは、異なる空間的シグナチャを持ってＵＥ２０６に到着し、そのことは、各々のＵＥ２０６がそのＵＥ２０６に向けられた１つ以上のデータストリームを復元するのを可能にする。ＵＬにおいて、各ＵＥ２０６は、空間的にプリコーディングされたデータストリームを送信し、それは、ｅＮＢ２０４が各々の空間的にプリコーディングされたデータストリームのソースを識別するのを可能にする。
【００３７】
［００３６］空間多重化は、概して、チャネル状態が良好なときに使用される。チャネル状態が好ましくないときには、送信エネルギーを１つ以上の方向に集中させるためにビーム形成を使用することができる。これは、複数のアンテナを通じての送信のためにデータを空間的にプリコーディングすることによって達成することができる。セルの縁部において優れたカバレッジを達成するために、単一ストリームビーム形成送信を送信ダイバーシティと組み合わせて使用することができる。
【００３８】
［００３７］後続する詳細な説明では、アクセスネットワークの様々な態様が、ＤＬでＯＦＤＭをサポートするＭＩＭＯシステムを参照して説明される。ＯＦＤＭは、ＯＦＤＭシンボル内の幾つかの副搬送波にわたってデータを変調する拡散スペクトル技法である。それらの副搬送波は、正確な周波数で間隔をあけて置かれる。この間隔は、受信機が副搬送波からデータを復元するのを可能にする“直交性”を提供する。時間領域では、ＯＦＤＭシンボル間の干渉に対処するためにガード間隔（例えば、サイクリックプリフィックス）を各ＯＦＤＭシンボルに加えることができる。ＵＬは、高いピーク対平均電力比（ＰＡＰＲ）を補償するためにＤＦＴ拡散ＯＦＤＭ信号の形態でＳＣ−ＦＤＭＡを使用することができる。
【００３９】
［００３８］図３は、ＬＴＥにおけるＤＬフレーム構造の例を示した図３００である。フレーム（１０ｍｓ）は、１０の均等にサイズが設定されたサブフレームに分割することができる。各サブフレームは、２つの連続するタイムスロットを含むことができる。２つのタイムスロットを表すためにリソース格子（ｒｅｓｏｕｒｃｅ  ｇｒｉｄ）を使用することができ、各タイムスロットは１つのリソースブロックを含む。リソース格子は、複数のリソース要素に分割される。ＬＴＥでは、リソースブロックは、周波数領域において１２の連続する副搬送波を含み、各ＯＦＤＭシンボル内の通常のサイクリックプリフィックスに関しては、時間領域において７つの連続するＯＦＤＭシンボル、又は８４のリソース要素を含む。拡張されたサイクリックプリフィックスに関しては、リソースブロックは、時間領域において６つの連続するＯＦＤＭシンボルを含み、７２のリソース要素を有する。Ｒ３０２、３０４として示されるリソース要素の一部は、ＤＬ基準信号（ＤＬ−ＲＳ）を含む。ＤＬ−ＲＳは、各セルごとのＲＳ（ＣＲＳ）（共通のＲＳと呼ばれることもある）と、各ＵＥごとのＲＳ（ＵＥ−ＲＳ）３０４と、を含む。ＵＥ−ＲＳ３０４は、対応する物理ＤＬ共有チャネル（ＰＤＳＣＨ）がマッピングされるリソースブロックのみにおいて送信される。各リソース要素によって搬送されるビット数は、変調方式に依存する。従って、ＵＥが受信するリソースブロックが多いほど、変調方式が高くなり、ＵＥに関するデータレートが高くなる。
【００４０】
［００３９］図４は、ＬＴＥにおけるＵＬフレーム構造の例を示した図４００である。ＵＬに関する利用可能なリソースブロックは、データ部及び制御部に分割することができる。制御部は、システム帯域幅の２つの縁部において形成することができ、設定可能なサイズを有することができる。制御部内のリソースブロックは、制御情報の送信のためにＵＥに割り当てることができる。データ部は、制御部に含まれない全リソースブロックを含むことができる。ＵＬフレーム構造の結果として、データ部は隣接する副搬送波を含むことになり、それは、データ部内のすべての隣接する副搬送波が単一のＵＥに割り当てられるのを可能にする。
【００４１】
［００４０］ＵＥには、ｅＮＢに制御情報を送信するために制御部内のリソースブロック４１０ａ、４１０ｂを割り当てることができる。ＵＥには、ｅＮＢにデータを送信するためにデータ部内のリソースブロック４２０ａ、４２０ｂを割り当てることもできる。ＵＥは、制御部内の割り当てられたリソースブロックにおける物理ＵＬ制御チャネル（ＰＵＣＣＨ）で制御情報を送信することができる。ＵＥは、データ部内の割り当てられたリソースブロックにおける物理ＵＬ共有チャネル（ＰＵＳＣＨ）ではデータのみ又はデータと制御情報の両方を送信することができる。ＵＬ送信は、サブフレームの両方のスロットにまたがることができ及び周波数ホッピングすることができる。
【００４２】
［００４１］初期のシステムアクセスを行い、物理ランダムアクセスチャネル（ＰＲＡＣＨ）４３０においてＵＬ同期化を達成するために一組のリソースブロックを使用することができる。ＰＲＡＣＨ４３０は、ランダムシーケンスを搬送し、ＵＬデータ／シグナリングは搬送することができない。各ランダムアクセスプリアンブルは、６つの連続するリソースブロックに対応する帯域幅を占有する。開始周波数は、ネットワークによって指定される。すなわち、ランダムアクセスプリアンブルの送信は、幾つかの時間及び周波数リソースに制限される。ＰＲＡＣＨに関する周波数ホッピングは存在しない。ＰＲＡＣＨ試行は、単一のサブフレーム（１ｍｓ）内で又は幾つかの隣接するサブフレームのシーケンス内で搬送され、ＵＥは、フレーム（１０ｍｓ）当たり単一のＰＲＡＣＨ試行のみを行うことができる。
【００４３】
［００４２］図５は、ＬＴＥにおけるユーザ及び制御プレーンに関する無線プロトコルアーキテクチャの例を示した図５００である。ＵＥ及びｅＮＢに関する無線プロトコルアーキテクチャは、３つの層、層１、層２、及び層３、とともに示される。層１（Ｌ１層）は、最低層であり、様々な物理層信号処理機能を実装する。Ｌ１層は、ここでは物理層５０６と呼ばれる。層２（Ｌ２層）５０８は、物理層５０６の上層であり、物理層５０６を通じてのＵＥとｅＮＢとの間のリンクを担当する。
【００４４】
［００４３］ユーザプレーンでは、Ｌ２層５０８は、メディアアクセス制御（ＭＡＣ）副層５１０と、無線リンク制御（ＲＬＣ）副層５１２と、パケットデータコンバージェンスプロトコル（ＰＤＣＰ）５１４パケットデータコンバージェンスプロトコル（ＰＤＣＰ）５１４副層と、を含み、それらは、ネットワーク側においてｅＮＢで終端される。示されていないが、ＵＥは、Ｌ２層５０８の上方において幾つかの上位層を有することができ、ネットワーク側においてＰＤＮゲートウェイで終端されるネットワーク層（例えば、ＩＰ層）と、接続の他方の端部（例えば、遠方の端部のＵＥ、サーバ、等）において終端されるアプリケーション層と、を含む。
【００４５】
［００４４］ＰＤＣＰ副層５６１４は、異なる無線ベアラと論理チャネルとの間での多重化を提供する。ＰＤＣＰ副層５１４は、無線送信オーバーヘッドを低減させるための上位層データパケットのためのヘッダ圧縮、データパケットを暗号化することによるセキュリティ、及びｅＮＢ間でのＵＥに関するハンドオーバーサポートも提供する。ＲＬＣ副層５１２は、上位層データパケットのセグメンテーションと再組立、失われたデータパケットの再送信、及びハイブリッド自動再送要求（ＨＡＲＱ）に起因する順序外れの受信を補償するためのデータパケットの順序再設定を提供する。ＭＡＣ副層５１０は、論理及びトランスポートチャネル間での多重化を提供する。ＭＡＣ副層５１０は、ＵＥ間で１つのセル内の様々な無線リソース（例えば、リソースブロック）を割り当てることも担当する。ＭＡＣ副層５１０は、ＨＡＲＱ動作も担当する。
【００４６】
［００４５］制御プレーンにおいて、ＵＥ及びｅＮＢに関する無線プロトコルアーキテクチャは、物理層５０６及びＬ２層５０８に関して実質的に同じであり、制御プレーンに関するヘッダ圧縮機能が存在しないことだけ異なる。制御プレーンは、層３（Ｌ３層）内の無線リソース制御（ＲＲＣ）副層５１６も含む。ＲＲＣ副層５１６は、無線リソース（すなわち、無線ベアラ）を入手すること及びｅＮＢとＵＥとの間でのＲＲＣシグナリングを用いて下位層をコンフィギュレーションすることを担当する。
【００４７】
［００４６］図６は、アクセスネットワークにおいてＵＥ６５０と通信中のｅＮＢ６１０のブロック図である。ＤＬでは、コアネットワークからの上位層パケットがコントローラ／プロセッサ６７５に提供される。コントローラ／プロセッサ６７５は、Ｌ２層の機能を実装する。ＤＬでは、コントローラ／プロセッサ６７５は、ヘッダ圧縮、暗号化、パケットのセグメンテーションと順序再設定、論理チャネルとトランスポートチャネル間での多重化、及び様々な優先度メトリックに基づくＵＥ６５０への無線リソース割り当てを提供する。コントローラ／プロセッサ６７５は、ＨＡＲＱ動作、失われたパケットの再送信、及びＵＥ６５０へのシグナリングも担当する。
【００４８】
［００４７］送信（ＴＸ）プロセッサ６１６は、Ｌ１層（すなわち、物理層）に関する様々な信号処理機能を実装する。信号処理機能は、ＵＥ６５０での前方誤り訂正（ＦＥＣ）を容易にするためのコーディングとインターリービング、及び様々な変調方式（例えば、二位相偏移変調（ＢＰＳＫ）、四位相偏移変調（ＱＰＳＫ）、Ｍ位相偏移変調（Ｍ−ＰＳＫ）、Ｍ直交振幅変調（Ｍ−ＱＡＭ））に基づく信号点配置へのマッピングを含む。次に、コーディング及び変調されたシンボルが並列ストリームに分割される。各ストリームは、ＯＦＤＭ副搬送波にマッピングされ、時間及び／又は周波数領域において基準信号（例えば、パイロット）と多重化され、次に、逆高速フーリエ変換（ＩＦＦＴ）を用いてひとつに結合され、時間領域ＯＦＤＭシンボルストリームを搬送波する物理チャネルが生成される。ＯＦＤＭストリームは、複数の空間ストリームを生成するために空間的にプリコーディングされる。コーディング及び変調方式を決定するために、及び空間処理のために、チャネル推定器６７４からのチャネル推定値を使用することができる。チャネル推定値は、基準信号及び／又はＵＥ６５０によって送信されたチャネル状態フィードバックから導き出すことができる。次に、各空間ストリームが、別々の送信機６１８ＴＸを介して異なるアンテナ６２０に提供される。各送信機６１８ＴＸは、送信のために各々の空間ストリームとともにＲＦ搬送波を変調する。
【００４９】
［００４８］ＵＥ６５０において、各受信機６５４ＲＸは、それの各々のアンテナを通じて信号を受信する。各受信機６５４ＲＸは、変調されてＲＦ搬送波に乗せられた情報を復元し、その情報を受信（ＲＸ）プロセッサ６５６に提供する。ＲＸプロセッサ６５６は、Ｌ１層の様々な信号処理機能を実装する。ＲＸプロセッサ６５６は、ＵＥ６５０に向けられた空間ストリームを復元するために情報に対する空間処理を行う。複数の空間ストリームがＵＥ６５０に向けられている場合は、それらは、ＲＸプロセッサ６５６によって単一のＯＦＤＭシンボルストリームに結合することができる。ＲＸプロセッサ６５６は、高速フーリエ変換（ＦＦＴ）を用いてＯＦＤＭシンボルストリームを時間領域から周波数領域に変換する。周波数領域の信号は、ＯＦＤＭ信号の各副搬送波に関して別々のＯＦＤＭシンボルストリームを備える。各副搬送波、及び基準信号上のシンボルは、ｅＮＢ６１０によって送信された最も可能性が高い信号点配置点を決定することによって復元及び復調される。これらのソフト決定（ｓｏｆｔ  ｄｅｃｉｓｉｏｎ）は、チャネル推定器６５８によって計算されたチャネル推定値に基づくことができる。次に、物理チャネルにおいてｅＮＢ６１０によって最初に送信されたデータ及び制御信号を復元するためにソフト決定が復号及びデインターリービングされる。次に、データ及び制御信号がコントローラ／プロセッサ６５９に提供される。
【００５０】
［００４９］コントローラ／プロセッサ６５９は、Ｌ２層を実装する。コントローラ／プロセッサは、プログラムコード及びデータを格納するメモリ６６０と関連付けることができる。メモリ６６０は、コンピュータによって読み取り可能な媒体と呼ぶことができる。ＵＬでは、コントローラ／プロセッサ６５９は、コアネットワークから上位層パケットを復元するためのトランスポートチャネルと論理チャネル間での多重化解除、パケット再組立、復号、ヘッダ伸長、制御信号処理を提供する。上位層パケットは、データシンク６６２に提供され、それは、Ｌ２層の上方のすべてのプロトコル層を表す。Ｌ３処理のために様々な制御信号もデータシンク６６２に提供することができる。コントローラ／プロセッサ６５９は、ＨＡＱＲ動作をサポートするために肯定応答（ＡＣＫ）及び／又は否定応答（ＮＡＣＫ）プロトコルを使用する誤り検出も担当する。
【００５１】
［００５０］ＵＬでは、データソース６６７は、上位層パケットをコントローラ／プロセッサ６５９に提供するために使用される。データソース６６７は、Ｌ２層の上方のすべてのプロトコル層を表す。ｅＮＢ６１０によるＤＬ送信と関連して説明される機能と同様に、コントローラ／プロセッサ６５９は、ヘッダ圧縮、暗号化、パケットのセグメンテーションと順序再設定、及びｅＮＢ６１０による無線資源割り当てに基づく論理チャネルとトランスポートチャネルとの間での多重化を提供することによってユーザプレーン及び制御プレーンに関するＬ２層を実装する。コントローラ／プロセッサ６５９は、ＨＡＲＱ動作、失われたパケットの再送信、及びｅＮＢ６１０へのシグナリングも担当する。
【００５２】
［００５１］基準信号又はｅＮＢ６１０によって送信されたフィードバックからチャネル推定器によって導き出されたチャネル推定値は、該当するコーディング及び変調方式を選択するために、及び空間処理を容易にするためにＴＸプロセッサ６６８によって使用することができる。ＴＸプロセッサ６６８によって生成された空間ストリームは、別々の送信機６５４ＴＸを介して異なるアンテナ６５２に提供される。各送信機６５４ＴＸは、送信のために各々の空間ストリームとともにＲＦ搬送波を変調する。
【００５３】
［００５２］ＵＬ送信は、ＵＥ６５０での受信機機能と関連させて説明される方法と同様のそれでｅＮＢ６１０において処理される。各受信機６１８ＲＸは、それの各々のアンテナ６２０を通じて信号を受信する。各受信機６１８ＲＸは、変調されてＲＦ搬送波に乗せられた情報を復元し、ＲＸプロセッサ６７０に情報を提供する。ＲＸプロセッサ６７０は、Ｌ１層を実装することができる。
【００５４】
［００５３］コントローラ／プロセッサ６７５は、Ｌ２層を実装する。コントローラ／プロセッサ６７５は、プログラムコード及びデータを格納するメモリ６７６と関連付けることができる。メモリ６７６は、コンピュータによって読み取り可能な媒体と呼ぶことができる。ＵＬでは、コントローラ／プロセッサ６７５は、ＵＥ６５０からの上位層パケットを復元するためのトランスポートチャネルと論理チャネル間での多重化解除、パケット再組立、復号、ヘッダ伸長、制御信号処理を提供する。コントローラ／プロセッサ６７５からの上位層パケットは、コアネットワークに提供することができる。コントローラ／プロセッサ６７５は、ＨＡＱＲ動作をサポートするためにＡＣＫ及び／又はＮＡＣＫプロトコルを使用する誤り検出も担当する。
【００５５】
［００５４］図７は、ＵＥ７０２を登録することができる幾つかの異なる無線アクセスネットワーク（ＲＡＮ）を含む無線システムの簡略化されたブロック図７００である。ＲＡＮは、ＧＳＭ／Ｅｄｇｅ無線アクセスネットワーク（ＧＥＲＡＮ）７０８と、ユニバーサル移動体通信システム地上無線アクセスネットワーク（ＵＴＲＡＮ）７１０と、エボルブドユニバーサル移動体通信システム地上無線アクセスネットワーク（Ｅ−ＵＴＲＡＮ）７０４と、を含むことができる。描かれる例では、サービング汎用パケット無線サービス（ＧＰＲＳ）サポートノード（ＳＧＳＮ）７２２は、ＧＥＲＡＮ７０８及びＵＴＲＡＮ７１０に関する制御及び管理機能を提供する。より具体的には、ＳＧＳＮ７２２は、ＧＥＲＡＮ７０８及びＵＴＲＡＮ７１０及びパケット交換（ＰＳ）サービスのための固定ネットワークの間のインタフェースとして機能し、特に、ＧＳＭで使用することができるパケット指向モバイルデータサービスであるＧＰＲＳを含む。ＳＧＳＮ７２２は、ＵＥ７０２への及びからのパケット送信を処理するために機能を実行する。各ＵＥ７０２に関して、ＳＧＳＮは、加入及び位置情報を格納し、ＵＥが登録されているセル又はルーティングエリア（ＲＡ）を含む。モビリティ管理エンティティ（ＭＭＥ）７０６は、Ｅ−ＵＴＲＡＮ７０４に関する制御及び管理を提供する。モバイル交換センター（ＭＳＣ）７１２は、ネットワーク交換要素を制御することができる。本説明の目的上、ＧＳＭ及びＧＥＲＡＮ及びＳＧＭ／Ｅｄｇｅは互換可能な形で使用され、Ｅ−ＵＴＲＡＮ及びＬＴＥは互換可能な形で使用され、ＵＴＲＡＮ及びＵＭＴＳは互換可能な形で使用される。
【００５６】
［００５５］図８は、モビリティ管理、セッション管理、（例えば、ＩＰネットワーク８１４に結合されるパケットデータネットワークゲートウェイ８１２を通じての）インターネットプロトコルパケットサービスに関する転送、及びその他のサービスを提供するコアネットワークにアクセスするために無線アクセスネットワーク（ＲＡＮ）において異なる周波数及び／又は異なる無線アクセス技術（ＲＡＴ）を使用する複数のセルのカバレッジ内に位置するＵＥ８０２の簡略化された例を描く。ＲＡＮは、ＵＥ８０２とコアネットワークとの間の通信の引き渡しのために要求される地上に基づくインフラストラクチャを備えることができる。ＬＴＥでは、ＲＡＮは、１つ以上のｅＮＢ８０４を備えることができる。ＲＡＴは、ＵＭＴＳ、ＴＤ−ＳＣＤＭＡ、ＧＳＭ、ＣＤＭＡ２０００及びＷｉＭＡＸに基づくことができる。
【００５７】
［００５６］ＵＥ８０２は、ＵＥがソースセルからターゲットセルを選択することになるモビリティ手順を実施することができる。例えば、現在Ｅ−ＵＴＲＡＮソースセル８３０にいるＵＥ８０２は、ＧＥＲＡＮターゲットセル８３２を選択するためのモビリティ手順を実施することができる。ＬＴＥ接続モードでは、ＵＥモビリティは、ネットワークによって制御／開始される。例えば、ネットワークは、ＵＥがターゲットセル８３２に移動するためのハンドオーバー、又はＣＣＯ又はリダイレクションコマンドをＵＥ８０２に送信することができる。無線リンク失敗（ＲＬＦ）の場合は、ＵＥ８０２がＲＬＦを経験し、接続すべきＬＴＥセルの位置を突き止めることができないときには、ＵＥは、他のＲＡＴのセルを選択することができる。他の例として、現在ＧＥＲＡＮソースセル８３２にいるＵＥ８０２は、Ｅ−ＵＴＲＡＮターゲットセル８３０への選択を行うためのモビリティ手順を実施することができる。モビリティ手順は、ターゲットセルにとどまるためにソースセルからの選択を解除する（ｄｅｓｅｌｅｃｔ）ことと、ターゲットセルの特徴を識別することと、ターゲットセルにおいて接続を確立することと、ターゲットセルで許可を受信することと、位置更新を開始することと、を含むことができる。
【００５８】
［００５７］ＵＥ８０２は、優先度リストに基づいて周波数及びとどまるＲＡＴを自律的に選択することができる。この優先度リストは、一組の周波数と、各周波数と関連付けられたＲＡＴと、各周波数の優先度と、を含むことができる。例えば、優先度リストは、３つの周波数Ｘ、Ｙ及びＺを含むことができる。周波数Ｘは、第１のＲＡＴ、例えば、ＬＴＥ、のために使用することができ、最高の優先度を有することができ、周波数Ｙは、第２のＲＡＴのために使用することができ、最低の優先度を有することができ、周波数Ｚは、第３のＲＡＴ、例えば、Ｗ−ＣＤＭＡ、のために使用することができ、中間の優先度を有することができる。概して、優先度リストは、あらゆる組のＲＡＴのためのあらゆる数の周波数を含むことができ、ＵＥ位置に関して特有であることができる。ＵＥ７０２は、最高の優先度のＬＴＥ周波数及びより低い優先度のその他のＲＡＴのための周波数を用いて優先度リストを定義することによって、利用可能なときには、ＬＴＥを優先するように構成することができる。
【００５９】
［００５８］一例では、ＵＥ８０２は、パケット交換（ＰＳ）データサービスをＬＴＥネットワークから受信することができ、及び、アイドルモードにある間にＬＴＥネットワークにとどまることができる。ＵＥ８０２は、他のＲＡＴの他の無線ネットワークに移行するのを試みることができる。例えば、ＵＥ８０２は、音声呼を開始又は受信するために回線交換（ＣＳ）フォールバック（ｆａｌｌｂａｃｋ）を開始することができる。ＣＳフォールバックは、ＵＥ８０２によって実行されるＲＡＴ間リダイレクション又はハンドオーバーによって達成させることができる。例えば、ＵＥ８０２は、音声サービスをサポートするＲＡＴ、例えば、１ｘＲＴＴ、Ｗ−ＣＤＭＡ、ＧＳＭ、又はその他のＲＡＴ、を再選択することができる。ＵＥ８０２は、ＬＴＥサービスが失われた場合、特に、ＵＥ７０２が通信システムのカバレッジエリア内を物理的に移動するときにＬＴＥネットワークから他のネットワークに移行することができる。
【００６０】
［００５９］ＵＥ８０２をサポートするためにモビリティ管理（ＭＭ）機能を提供することができ、例えば、非アクセス層（ＮＡＳ）シグナリング及びセキュリティ、３ＧＰＰアクセスネットワーク間のモビリティに関するコアネットワークノード間のシグナリング、パケットデータネットワークゲートウェイ（Ｐ−ＧＷ）８１２及びサービングゲートウェイ（Ｓ−ＧＷ）８１０の選択、及びハンドオーバーのためのＳＧＳＮ８２２の選択、ローミング及び認証を含む。ＵＥ８０２は、ＳＧＳＮ８２２及びＭＭＥ８０６、及び／又はＵＥ８０２とコアネットワークとの間のシグナリングを処理する他の制御ノードからの有効なＭＭパラメータを有することができる。ＭＭＥ８０６は、ＥＰＳに関するビジター位置レジスタ（ＶＬＲ）を提供することができる。例えば、“Ｔｅｍｐｏｒａｒｙ  Ｉｄｅｎｔｉｔｙ  ｕｓｅｄ  ｉｎ  Ｎｅｘｔ  ｕｐｄａｔｅ”（ＴＩＮ）は、ＵＥ８０２のＭＭコンテキストのパラメータであることができ、それは、次のルーティングエリア更新（ＲＡＵ）要求、トラッキングエリア更新（ＴＡＵ）要求又は接続要求メッセージにおいて使用されるＵＥのアイデンティティを識別することができる。
【００６１】
［００６０］アイドル状態シグナリングリダクション（ｉｄｌｅ  ｓｔａｔｅ  ｓｉｇｎａｌｉｎｇ  ｒｅｄｕｃｔｉｏｎ）（ＩＳＲ）機能は、アイドルモードでのＲＡＴ間セル再選択中にシグナリングを制限するためのメカニズムを提供することができる。ＩＳＲは、ＧＳＭ／ＥＤＧＥ  ＲＡＮ（ＧＥＲＡＮ）及び／又はＵＴＲＡＮをサポートするＥ−ＵＴＲＡＮ  ＵＥ８０２に関して使用することができる。ＩＳＲは、ＵＥ８０２がＥ−ＵＴＲＡＮ及びＧＥＲＡＮ／ＵＴＲＡＮの間で再選択することに起因するＴＡＵ及びＲＡＵ手順の周波数を低減させることによってアイドルモードでのＲＡＴ間セル再選択中にシグナリングを制限するために使用することができる。
【００６２】
［００６１］セル更新は、ＵＥ８０２が現在のルーティングエリア（ＲＡ）内の新しいセルに入ったとき、及びＵＥ８０２が準備完了状態のときに生じることができる。ＲＡが変わっている場合は、セル更新の代わりにＲＡＵを実行することができる。セル更新は、ＵＥ８０２と関連付けられた一時的論理的リンクアイデンティティ（ＴＬＬＩ）を含むアップリンク論理的リンク制御（ＬＬＣ）プロトコルデータユニット（ＰＤＵ）を備えることができる。セル通知は、ＵＥ８０２と関連付けられたＴＬＬＩを含むＮＵＬＬ  ＬＬＣ  ＰＤＵを備えることができる。セル更新又はセル通知が受信されたときには、ＳＧＳＮ８２２は、新しいセルを通じてダウンリンクＬＬＣを送信することができる。
【００６３】
［００６２］ＩＳＲは、ＵＥ８０２が２つのネットワーク又は２つのセルの各々において少なくとも１回登録した後にコアネットワークノードによって起動することができる。２つのネットワークは、異なるＲＡＴを使用することができる。例えば、ＧＳＭネットワーク８３２とＬＴＥネットワーク８３０との間の境界付近に位置するＵＥ８０６は、それらのネットワーク間を複数回移動することができる。バッテリ電力を節約するために及び複数のＴＡＵ及び／又はＲＡＵ要求を送信するＵＥ８０２によって生成されたネットワークトラフィックを低減させるために、対応するＭＭＥ８０６及びＳＧＳＮ８２２は、ＵＥ８０２でＩＳＲを起動させるのに合意することができる。ＩＳＲが起動されると、ＵＥ８０２は、典型的には、ＴＡＵ及びＲＡＵ要求を送信するのを控える。従って、例えば、ページングのために、ネットワーク内でＵＥ８０２の位置を突き止める試みは、ＵＥ８０２が登録しているＭＭＥ８０６及びＳＧＳＮ８２２に向けられる。
【００６４】
［００６３］ＩＳＲ起動状態は、ＲＡＵ及びＴＡＵ受諾メッセージでＵＥ８０２に明示でシグナリングすることができる。ＴＩＮは、ＵＥ８０２内でのＩＳＲ起動状態を識別する情報を提供することができる。コアネットワークノードは、“ＩＳＲ  Ａｃｔｉｖａｔｅｄ”フラグ又はパラメータを設定せずに通常の更新シグナリングを用いることによってＵＥ８０２内でＩＳＲを非アクティブ化することができる。
【００６５】
［００６４］幾つかの状況では、ＵＥ８０２、ＭＭＥ８０６及び／又はＳＧＳＮ８２２内には非同期化状態情報が存在することができる。該状況は、ＩＳＲをローカルで非アクティブ化することをＵＥ８０２に行わせることができる。ＵＥ８０２は、現在使用されているＲＡＴの一時的アイデンティティにＵＥのＴＩＮを設定することによってＩＳＲをローカルで非アクティブ化することができる。ＵＥ８０２は、ＵＥ８０２が依然として利用可能なＲＡＴのカバレッジが失われたことを理由に又はＲＡＴがＵＥによってもはや選択されないときに、ＲＡＴ専用の“Ｄｅａｃｔｉｖａｔｅ  ＩＳＲタイマ”が時間切れになった後にそのＲＡＴの一時的アイデンティティにＴＩＮを設定することによってローカルでＩＳＲを非アクティブ化することができる。
【００６６】
［００６５］ネットワークは、ＵＥ８０２に他のネットワークに移行させることができる。例えば、第１のネットワークは、第１のネットワークから第２のネットワークにＵＥ８０２をリダイレクションすることができる。リダイレクション中には、ＵＥ８０２は第２のネットワークにとどまり、接続を確立する前に、接続のために必要なシグナリング及びその他の情報を入手するために第２のネットワークをモニタリングする。第１のネットワークは、第１及び第２のネットワーク間でのハンドオーバーを提供することもでき、それにより、ＭＭＥ８０６又はＳＧＳＮ８２２、等のソースネットワークエンティティは、第２のネットワーク内のリソースを入手し、従って、ＵＥ８０２は、第１のネットワークでの接続状態から第２のネットワークでの接続状態を選択することができる。
【００６７】
［００６６］第１のネットワークは、セル変更命令（ＣＣＯ）を用いて第２のネットワークに移行するようにＵＥ８０２に指図することができる。一例では、ＣＣＯは、ＵＥ８０２が接続モードにあるときにＥ−ＵＴＲＡＮ  ｅＮｏｄｅＢ８０４からのメッセージを備え、メッセージは、ＧＥＲＡＮ８３２に移動するようにＵＥ８０２に指図することができる。メッセージは、ターゲットセルへのアクセスを容易にする及び／又はターゲットセル内での接続確立を可能にする情報を含むことができる。例えば、ＵＥ８０２がＬＴＥからＧＳＭセルに移行するように指図されたときには、ＬＴＥネットワークは、ＵＥがＧＳＭセル８３２にとどまった後に該情報を収集する必要性をなくすターゲットセル情報をＵＥ８０２に提供することができる。ＣＣＯは、ＧＥＲＡＮレディモードと他のＲＡＮ、例えば、ＧＥＲＡＮ７０８、ＵＴＲＡＮ７１０、Ｅ−ＵＴＲＡＮ７０４、等と間のＰＳ接続モードモビリティを可能にすることができる。ソースＲＡＮは、ＵＥ７０２が再選択するためにターゲットセルを選択することができるが、ソースＲＡＮは、典型的には、ターゲットセルにおいてＵＥ７０２］に関するリソースを予約しない。
【００６８】
［００６７］ＵＥ７０２がＣＣＯを受信するソースセルは、ＣＣＯを送信後の予め決定された期間、ＵＥと関連付けられたコンテキストを維持することができる。ＣＣＯの成功裏の完了時点で、ＵＥ７０２は、ターゲットセルを通じて接続することができ、ソースセルによって維持されるコンテキストを解放することができる。コンテキストは、ＣＣＯがＵＥ７０２に送信されたときに開始されるガードタイマの時間切れ後に解放することもできる。幾つかの例では、ＣＣＯは失敗することがあり、ＵＥ７０２がソースセルに戻ることがある。ＵＥ７０２に関するコンテキストがソースセルにおいて引き続き利用可能な状態である場合は、ソースセルへのＵＥ７０２の接続は回復することができる。ＣＣＯは、ターゲットセルがＵＥ７０２にリソースを付与するのを控えたときに、又はその他の理由で接続が確立されないときに失敗することがある。幾つかのネットワークは、ＣＣＯが送信されたときに設定される予め決定された期間内にＵＥ７０２に対して許可（ｇｒａｎｔ）が行われていない場合にＣＣＯが失敗したとみなされるように要求する。
【００６９】
［００６８］ＣＣＯは、ＵＥ７０２が１つ以上のデータパケットを送信する許可を受信後に完了したとみなすことができる。ＣＣＯは、ＵＥ７０２がアクセスを行い、新しいセル（ターゲットセル）内でコンテンションの解決を成功裏に完了している場合、又はＧＰＲＳモビリティ管理（ＧＭＭ）ＲＥＡＤＹタイマが手順の実行中に稼働を終了又は停止した場合に、ＧＥＲＡＮ／ＵＴＲＡＮ／Ｅ−ＵＴＲＡＮからＧＥＲＡＮに対する移行に関して完了したとみなすことができる。ＣＣＯは、“ＲＲＣ  Ｃｏｎｎｅｃｔｉｏｎ  Ｓｅｔｕｐ”メッセージが受信された場合にＧＥＲＡＮからＵＴＲＡＮ／Ｅ−ＵＴＲＡＮへの移行に関して完了したとみなすことができる。
【００７０】
［００６９］ＣＣＯは、ＵＥ７０２がアップリンク許可を受信できない場合は完了せずとみなすことができる。これは、ＵＥ７０２が送信のためのデータを有さない（送信バッファが空である）とき及びセル間移動の直後にＩＳＲがＵＥ７０２に関してアクティブであるときに発生することができる。ＵＥ７０２が送信のためのデータを有さないときには、それは、典型的には、データ送信のための帯域幅を要求せず、従って、許可を受信しない。ＩＳＲがアクティブであるときには、本来であればアップリンクリソースの許可をトリガしていたことになるセル更新、ＴＡＵ要求及び／又はＲＡＵ要求を送信するのを控えることができる。従って、ＵＥ７０２は、シグナリングの不活動に起因して強制的にソースセルに戻される。
【００７１】
［００７０］幾つかの態様では、ＵＥ７０２は、ＣＣＯを受信した時点でＩＳＲをローカルで非アクティブ化するように構成することができる。ローカルでのＩＳＲの非アクティブ化は、典型的には、フラグを設定すること又はクリアすることを備える。フラグの状態は、ＴＡＵ又はＲＡＵ要求をＵＥ７０２によって送信することができるかどうかを決定するためにＵＥ７０２によって使用することができる。ＣＣＯがＧＥＲＡＮ内ＲＡＴ内移動に関するものである場合は、ＵＥ７０２は、セル更新又はセル通知をＳＧＳＮに送信することができる。ＵＥ７０２は、典型的には、ＵＥ７０２が自律的にＩＳＲを非アクティブ化し、チャネル要求を送信することができ及び更新要求を送信する際の使用のためのリソースの許可を受信することができる後にセル更新要求、ＴＡＵ要求又はＲＡＵ要求の送信を開始する。許可の受信は、ＣＣＯの成功裏の完了の決定を可能にすることができる。
【００７２】
［００７１］幾つかの態様では、ＵＥ７０２は、ＣＣＯが受信されたときにはＩＳＲ起動状態を無視するように構成することができ、及び、ＵＥ７０２は、ＵＥ７０２においてＩＳＲを非アクティブ化せずにターゲットセル内で位置管理手順を開始することができる。位置管理手順は、例えば、ＵＥ７０２がＲＡＵ要求、ＴＡＵ要求又はセル更新要求を送信するときに開始させることができる。ＣＣＯを完了させるための更新手順の使用は、ＣＣＯが受信されたときにＩＳＲがアクティブであるか又は非アクティブであるかにかかわらず、ＵＥ７０２と関連付けられたリソースの解放を行わせることができ及びＳ−ＧＷ８１０によって維持された、又は他のネットワークゲートウェイ又はネットワークエンティティによって維持された構成情報の更新を行わせることができる。Ｓ−ＧＷ８１０構成が更新されない場合は、２つのアクティブなユーザプレーン経路をＵＥ７０２に関して定義することができ、１つはソースセル内、他方はターゲットセル内である。
【００７３】
［００７２］幾つかの実施形態では、ＵＥ７０２は、ＩＳＲが起動されており及び送信のための待ち行列内にデータがないときにＣＣＯが受信された後に送信のためのデータを生成するように構成することができる。パケットネットワークでの送信のために生成されたデータは、例えば、第２のネットワークがＧＥＲＡＮである場合はヌルＬＬＣ  ＰＤＵを備えることができる。生成されたデータは、ネットワーク状態問い合わせ、ブロードキャストメッセージ、以前に送信されたデータのパケット又は受信されたデータの肯定応答を備えることができる。一例では、ＵＥ７０２は、既知のインターネットアドレスへのインターネット制御メッセージプロトコル（ＩＣＭＰ）エコー要求（すなわち、Ｐｉｎｇ）を生成することができる。他の例では、ＵＥ７０２は、ドメイン名サービス要求を生成することができる。これらのインターネット要求は、ネットワークにおいて最小限のオーバーヘッドのみを生成するように構成することができる。応答を生成しないことが予想されるネットワーク要求を生成することができる。ＵＥ７０２は、リソースの許可をターゲットネットワークに要求して受信後に生成されたデータを送信することができる。許可の受信は、ＣＣＯの成功裏の完了の決定を可能にすることができる。
【００７４】
［００７３］ＩＳＲがアクティブである間にＧＥＲＡＮ７０８に移動するようにＥ−ＵＴＲＡＮ７０４に指図するＣＣＯが受信されたときには、ＵＥ７０２は、ＣＣＯを完了させるためにターゲットセル内でＲＡＵ又はセル更新を送信し、無線リソース及びＵＥコンテキストを解放することをソースｅＮＢ２０４に行わせることができる。
【００７５】
［００７４］ＣＣＯがＵＴＲＡＮ７１０からＧＥＲＡＮ７０８へのＲＡ内移動に関する場合は、ＵＥ７０２は、ルーティングエリア更新（ＲＡＵ）を行うことができる。
【００７６】
［００７５］幾つかの実施形態では、ＵＥ７０２は、ＣＣＯがＧＥＲＡＮ７０８とＥ−ＵＴＲＡＮとの間での移動に関するときで、ＩＳＲがアクティブであるときには、ＩＳＲをローカルで非アクティブ化する及び／又はＴＡＵ／ＲＡＵを行うことができる。幾つかの実施形態では、ＵＥ７０２は、ＧＥＲＡＮパケット転送モードからＥ−ＵＴＲＡＮへのセル再選択においてローカルでＩＳＲを非アクティブ化する及び／又はＴＡＵを行うことができる。幾つかの実施形態では、ＵＥ７０２は、ＣＣＯがＥ−ＵＴＲＡＮとＧＥＲＡＮとの間の移動に関するときで、ＩＳＲがアクティブであるときには、セル更新を行うことができる。
【００７７】
［００７６］幾つかの実施形態では、ここにおいて説明される手順は、再選択のために実施することができ、ＵＥ７０２は、ローカル再選択コマンドを生成することができる。例えば、ＵＥ７０２は、より高い優先度のＲＡＴが利用可能になっていると決定することができ、再選択を開始することをＵＥ７０２に行わせる内部コマンドを生成する。
【００７８】
［００７７］図９は、ＬＴＥからＧＳＭへのＵＥ７０２の移動に関わる位置管理手順の例に関する呼流れ図９００である。呼流れ図９００は、ＣＣＯの完了を生じさせるためにセル更新要求が使用されるときのネットワークエンティティ間での通信を例示する。ＵＥ８０２は、モビリティコマンド９０２を受信し、ＧＳＭネットワークに移動後に基地局コントローラ８２０へのチャネル要求９０４を開始する。前述されるように、ＵＥ８０２は、更新メッセージをトリガするために及びそれによりアップリンクリソースの許可を受信するためにＩＳＲをローカルで非アクティブ化することができる。代替として、ＵＥ８０２は、ＩＳＲを非アクティブ化せずにユーザプレーン又は制御シグナリングを生成することができる。９０４において許可を受信した時点で、ＵＥ８０２は、セル更新要求又は通知９０６をＳＧＳＮ８２２に送信することができる。これで、ＳＧＳＮ８２２及びサービングゲートウェイ（Ｓ−ＧＷ）８１０は通信することができ、それにより、ＳＧＳＮ８２２は、ベアラ変更要求９０８を送信する。Ｓ−ＧＷ８１０は、ＳＧＳＮ７２２による要求に従ってベアラを変更するためにパケットゲートウェイ（Ｐ−ＧＷ）８１２と通信する９１０。Ｓ−ＧＷ８１０は、ＭＭＥ８０６による解放９１２を要求し、それは、９１４で応答する。Ｓ−ＧＷ８１０は、ＳＧＳＮ７２２に応答することができる。ＭＭＥ８０６は、ＣＣＯが完了されたことの確認を受信し、ｅＮＢ８０４でのＵＥ８０２に関するコンテキストの解放を行わせることができる。
【００７９】
［００７８］図１０は、ＬＴＥからＧＳＭへのＵＥ８０２の移動の例に関する位置管理手順の呼流れ図１０００である。呼流れ図１０００は、ＣＣＯの完了を生じさせるためにルーティングエリア更新要求が使用されるときのネットワークエンティティ間での通信を例示する。ＵＥ８０２は、モビリティコマンド１００２を受信し、ＧＳＭネットワークに移動後に基地局コントローラ８２０へのチャネル要求１００４を開始する。この時点で、送信すべきその他のデータが存在しない場合は、ＵＥ８０２は、ＩＳＲをローカルで非アクティブ化してＲＡＵメッセージを生成することができ、又は、それは、アップリンク許可をトリガするためにＩＳＲ状態を変更せずに送信バッファにその他のデータを加えることができる。１００４において許可を受信した時点で、ＵＥ８０２は、ＲＡＵ要求１００６をＳＧＳＮ８２２に送信することができる。これで、ＳＧＳＮ８２２及びＭＭＥ８０６は通信することができ、それにより、ＳＧＳＮは、コンテキスト要求１００８を送信する。コンテキスト応答１０１０及び肯定応答１０１２が後続する。ＳＧＳＮ８２２は、Ｓ−ＧＷ８１０がベアラ変更要求を出すように要求することができ、それは、Ｐ−ＧＷ８１２に通信される１０１６。Ｓ−ＧＷ８１０は、ＳＧＳＮ８２２に応答する１０１８ことができる。Ｓ−ＧＷ８１０は、ＭＭＥ８０６と情報をやり取りし１０２０、ｅＮＢ８０４においてＵＥ８０２に関するコンテキストの解放を行わせる１０２２ことによって応答することができる。ＳＧＳＮ８２２及びＳ−ＧＷ８１０は、アクセス解放ベアラ要求１０２４をＳ−ＧＷ８１０に送信することができ、それは、１０２６において応答することができる。最後に、ＳＧＳＮ８２２は、ＲＡＵ要求の受諾１０２８をＵＥ８０２に送信することができる。
【００８０】
［００７９］ソースセルからターゲットセルへのＵＥ８０２の再選択は、ＣＳフォールバック手順の一部として試みることができる。一例では、ソースセル８３０は、ＬＴＥネットワークを備えることができ、ターゲットセル８３２は、ＧＳＭネットワークを備えることができる。幾つかの実施形態では、ＣＳフォールバック移動は、ＵＥ８０２におけるＣＣＯの受信後に開始することができる。ＵＥ８０２は、ＣＳ能力を有するネットワーク（ＣＳ−ｃａｐａｂｌｅ  ｎｅｔｗｏｒｋ）であるターゲットネットワークに移動することを試みることができるが、ＣＣＯを完了させることができず、又は、例えば、ＵＥ８０２がターゲットセル内の基地局から許可を入手することができないため試みられた移動が失敗することがある。ＵＥ８０２は、ソースネットワークに戻るのではなく同じ又は他のＣＳ能力を有するセルを再選択することができる。幾つかの実施形態では、ＵＥ８０２は、ＣＳフォールバック動作に関する図９及び１０において例示される手順と異なる位置管理手順を実施することができる。例えば、ＣＳフォールバックを命令するＣＣＯを受信後は、ＵＥ８０２は、低層送信許可を取得するために、ＧＥＲＡＮ８３２に到着した時点で、基地局コントローラ（ＢＳＣ）８２０にチャネル要求を送信することができる。これで、ＵＥ８０２は、接続管理サービス要求（ＣＭサービス要求）、ページング応答、及びＭＳＣサーバ８１２の位置更新のうちの１つ以上を送信することができる。
【００８１】
［００８０］ＩＳＲがアクティブのときのＧＥＲＡＮとＬＴＥとの間のＵＥモビリティは、無線周波数失敗（ＲＬＦ）によってトリガすることができる。例えば、ＵＥがＬＴＥにおいてＲＬＦを被り、ＬＴＥセルに接続することができないときには、ＵＥは、ＧＳＭセルを選択することができる。ＲＡＵ手順は、ターゲットＳＧＳＮがＬＴＥにおけるリソース（ｅＮＢ及びＭＭＥ）の解放をＬＴＥに通知する上で有用である。ＩＳＲがアクティブであり、ＲＡが変更されない場合は、ＵＥは、ＲＡＵをトリガするためにローカルでＩＳＲを非アクティブ化すべきである。
【００８２】
［００８１］ＩＳＲを非アクティブ化することの代替策は、ＩＳＲを無視することである。例えば、ＵＥが、ＣＣＯ、ＲＬＦ又は接続モードセル再選択が原因で１つのＲＡＴから第２のＲＡＴに移動するときには、ＵＥは、ＩＳＲの状態にかかわらずターゲットＲＡＴ内でＲＡＵ／ＴＡＵを行うことができる。前記されるように、ローカルで非アクティブ化することは、ＵＥの“ＴＩＮ”パラメータ（２３．４０１のＩＳＲ節を参照）を“ＲＡＴ  ｓｐｅｃｉｆｉｃ  ＴＭＳＩ”から“ＧＵＴＩ”又は“Ｐ−ＴＭＳＩ”に変更することによって達成される。ＩＳＲを無視することは、ＴＩＮの値がＵＥによって変更されないことを意味する。
【００８３】
［００８２］図１１は、無線通信方法のフローチャート１１００である。その方法は、ＵＥ８０２によって実行することができる。ステップ１１０２において、ＵＥ８０２は、ＩＳＲがアクティブである間に第１のネットワークから第２のネットワークへのＲＡＴ間モビリティ手順を実施する。ステップ１１０４において、ＵＥ８０２は、ＲＡＴ間モビリティ手順の完了に関連してローカルでＩＳＲを非アクティブ化する。ＩＳＲをローカルで非アクティブ化することは、ルーティングエリア（ＲＡ）又はＴＡＩリストが登録されたＲＡ又はＴＡＩリストと同じであると決定されたときに行うことができる。ステップ１１０６において、ＵＥ８０２は、第２のネットワークで位置管理手順を開始する。
【００８４】
［００８３］ＲＡＴ間モビリティ手順の実施に関して（ステップ１１０２）、該実施は、幾つかの場合はネットワークによって、その他の場合はＵＥ自体によって開始することができる。ネットワークが開始されると、ＲＡＴ間モビリティ手順が、第１のネットワークからＵＥによって受信されたモビリティコマンド、例えば、ＣＣＯ、に応答してＵＥによって実施される。例えば、第１のネットワークがＬＴＥネットワークであり、第２のネットワークがＧＳＭネットワークであるときには、ＵＥは、ＬＴＥネットワークの接続モードにある間にＣＣＯを受信することができる。ＵＥは、ＣＣＯに応答してＬＴＥネットワークからＧＳＭネットワークへのモビリティ手順を実施する。
【００８５】
［００８４］さらに、第１のネットワークがＧＳＭネットワークであり、第２のネットワークがＬＴＥネットワークであるときには、ＵＥは、ＧＳＭネットワークの接続状態にある間にモビリティ手順を実施する。ＵＥは、ＣＣＯに応答してＧＳＭネットワークからＬＴＥネットワークへのモビリティ手順を実施する。このシナリオでは、位置管理手順の開始（ステップ１１０６）に関して、ＵＥは、ＩＳＲをローカルで非アクティブ化することに応答してＬＴＥネットワーク内でトラッキングエリア更新（ＴＡＵ）を送信することによって位置管理手順を開始する（ステップ１１０４）。
【００８６】
［００８５］ＵＥが開始したときに、ＵＥが第１のネットワークに関して接続モードにあるときにＵＥによって検出された第１のネットワークのモビリティ状態に応答してＲＡＴ間モビリティ手順を実施することができる。ＵＥは、ＵＥによるネットワーク再選択を保証する第１のネットワークのモビリティ状態を検出することができる。該状態は、第２のネットワークのほうがＵＥにとってより良いネットワークであることを示す第１のネットワークの品質又は性能測定値に基づくことができる。１つの可能なシナリオでは、第１のネットワークがＧＳＭネットワークであり、第２のネットワークがＬＴＥネットワークであるときには、ＵＥは、ＧＳＭネットワークに関するモビリティ状態を検出することができる。ＵＥは、モビリティ状態を検出することに応答してセル再選択手順を開始することができる。
【００８７】
位置管理手順の開始に関して（ステップ１１０６）、ＵＥは、位置に基づく更新メッセージ、例えば、ＲＡＵ又はＴＡＵ、を送信することによって該手順を開始することができる。更新メッセージの送信は、ＩＳＲをローカルで非アクティブ化することによってトリガすることができる。第２のネットワークにおいて位置管理手順を開始することは、第１のネットワークにおいてＵＥと関連付けられたリソースの早期解放を容易にすることができる。
【００８８】
［００８７］図１１の方法の実装例が後続する。一実装においては、第１のネットワークは、ＧＥＲＡＮであり、第２のネットワークは、Ｅ−ＵＴＲＡＮである。このシナリオでは、第１のネットワークから受信されたＣＣＯに応答してＲＡＴ間モビリティ手順（ステップ１１０２）を実施することができ、ＵＥは、ＴＡＵ要求を送信することによって位置管理手順（ステップ１１０６）を開始することができる。同じシナリオの下で、ＵＥがＧＥＲＡＮにおいてパケット転送モード（ＰＴＭ）モードにある場合は、ＵＥによってローカルで開始されたセル再選択に応答してＲＡＴ間モビリティ手順を実施することができる。繰り返すと、ＵＥは、ＴＡＵ要求を送信することによって位置管理手順を開始する。
【００８９】
［００８８］他の実装では、第１のネットワークは、Ｅ−ＵＴＲＡＮであり、第２のネットワークは、ＧＥＲＡＮである。このシナリオでは、ＣＳフォールバック用ではない第１のネットワークから受信されたＣＣＯに応答してＲＡＴ間モビリティ手順（ステップ１１０２）が実施される。ＵＥは、Ｅ−ＵＴＲＡＮと接続モードであることができる。ＵＥは、ＩＳＲをローカルで非アクティブ化した（ステップ１１０４）後にＲＡＵ要求を送信することによって位置管理手順（ステップ１１０６）を開始することができる。これは、Ｅ−ＵＴＲＡＮからＧＥＲＡＮへのモビリティ手順の結果ＵＥに関するＲＡが変わったときに生じることができる。ＵＥは、セル更新メッセージ又はセル通知を送信することによって位置管理手順（ステップ１１０６）を開始することもできる。これは、Ｅ−ＵＴＲＡＮからＧＥＲＡＮへのモビリティ手順の結果としてＵＥが現在のルーティングエリア（ＲＡ）内部の新しいセルに入ったとき、及びＵＥが準備完了状態にあるときに生じることができる。
【００９０】
［００８９］他のシナリオでは、第１のネットワークは、Ｅ−ＵＴＲＡＮであり、第２のネットワークは、ＧＥＲＡＮであり、モビリティ手順は、回線交換（ＣＳ）フォールバックに関して開始することができる。このシナリオ下では、ＵＥは、第１のネットワークから第２のネットワークへの移動が失敗したかどうかを決定することができる。移動が失敗であった場合は、ＵＥは、ＣＳ能力を有するＲＡＴを自律的に再選択することができる。ＵＥは、ＧＥＲＡＮにおいて低層送信許可も取得し、接続管理サービス要求、ページング応答、及び位置更新のうちの１つ以上をモバイル交換センターに送信することができる。
【００９１】
［００９０］さらに他のシナリオでは、第１のネットワークはＥ−ＵＴＲＡＮであり、第２のネットワークは、ＧＥＲＡＮであり、ＵＥは、送信すべきデータ又はシグナリングを有さない場合にＣＣＯ完了条件を満たすためにヌルパケット（又はいずれかのパケット）をＧＥＲＡＮに送信することができる。この行動に関する条件は、アクティブなＩＳＲを含み、モビリティ手順に起因してＲＡは変わらない。この場合は、ＵＥは、ＧＥＲＡＮにおいて送信するためにデータが入手可能であるかどうかを決定し、データが入手可能でないと決定されたときにパケットネットワークにおける送信のためのデータを生成し、及び、生成されたデータを送信するためにＧＥＲＡＮの基地局から許可を得るためのアップリンク信号を送信することができる。信号は、例えば、チャネル要求を送信することによって送信することができる。このシナリオでは、ＵＥは、ＲＡＵ要求、セル更新メッセージ又はセル通知をＳＧＳＮに送信するか、又はＴＡＵ要求をＭＭＥに送信することによって位置管理手順を開始することができる。
【００９２】
［００９１］図１２は、典型的な装置１２０２内の異なるモジュール／手段／コンポーネント間でのデータの流れを例示した概念的なデータフロー図１２００である。装置は、ＵＥ７０２であることができる。装置は、ＩＳＲがアクティブである間に第１のネットワークから第２のネットワークへのＲＡＴ間モビリティ手順を実施するモビリティモジュール１２０４と、モビリティモジュール１２０４によるＲＡＴ間モビリティ手順の完了に関連してＩＳＲをローカルで非アクティブ化するＩＳＲ非アクティブ化モジュール１２０６と、第２のネットワークにおいて位置管理手順を開始する位置管理モジュール１２０６と、を含む。装置１２０２は、ネットワーク１２２０から信号、例えば、モビリティコマンド、を受信する受信モジュール１２０８と、送信のためのデータを管理及び生成する送信モジュール１２１０と、も含む。装置１２０２は、図１１の上記のフローチャート内のアルゴリズムのステップの各々を行う追加モジュールを含むことができる。従って、図１１の上記のフローチャートにおける各ステップは、モジュールによって実行することができ、装置は、それらのモジュールのうちの１つ以上を含むことができる。モジュールは、記載されたプロセス／アルゴリズムを実施するように構成されたプロセッサによって実装された、プロセッサによる実装のためにコンピュータによって読み取り可能な媒体内に格納された記載されたプロセス／アルゴリズム、又はそれらの組み合わせ、を実施するように特に構成された１つ以上のハードウェアコンポーネントであることができる。
【００９３】
［００９２］図１３は、処理システム１３１４を採用する装置１２０２’に関するハードウェア実装の例を示した図である。処理システム１３１４は、概してバス１３２４によって代表されるバスアーキテクチャを用いて実装することができる。バス１３２４は、処理システム１３１４の特定の用途及び全体的な設計上の制約事項に依存してあらゆる数の相互接続バス及びブリッジを含むことができる。バス１３２４は、プロセッサ１３０４によって代表される１つ以上のプロセッサ及び／又はハードウェアモジュール、モジュール１２０４、１２０６、１２０８、１２１０、１２１２、及びコンピュータによって読み取り可能な媒体１３０６をひとつにリンクする。バス１３２４は、様々なその他の回路、例えば、タイミングソース、周辺機器、調圧器、及び電力管理回路、もリンクすることができ、それらは当業においてよく知られており、従って、これ以上は説明されない。
【００９４】
［００９３］処理システム１３１４は、トランシーバ１３１０に結合することができる。トランシーバ１３１０は、１つ以上のアンテナ１３２０に結合される。トランシーバ１３１０は、送信媒体を通じて様々なその他の装置と通信するための手段を提供する。処理システム１３１４は、コンピュータによって読み取り可能な媒体１３０６に結合されたプロセッサ１３０４を含む。プロセッサ１３０４は、汎用処理を担当し、コンピュータによって読み取り可能な媒体１３０６に格納されたソフトウェアの実行を含む。ソフトウェアは、プロセッサ１３０４によって実行されたときに、特定の装置に関して上述される様々な機能を実行することを処理システム１３１４に行わせる。コンピュータによって読み取り可能な媒体１３０６は、ソフトウェアを実行するときにプロセッサ１３０４によって処理されるデータを格納するために使用することもできる。処理システムは、モジュール１２０４、１２０６、１２０８、１２１０、及び１２１２のうちの少なくとも１つをさらに含む。モジュールは、コンピュータによって読み取り可能な媒体１３０６内に常駐し／保存され、プロセッサ内で実行するソフトウェアモジュール、プロセッサ１３０４に結合された１つ以上のハードウェアモジュール、又はそれらの組み合わせであることができる。処理システム１３１４は、ＵＥ６５０のコンポーネントであることができ及びメモリ６６０及び／又はＴＸプロセッサ６６８、ＲＸプロセッサ６５６、及びコントローラ／プロセッサ６５９のうちの少なくとも１つを含むことができる。
【００９５】
［００９４］一構成では、無線通信のための装置１２０２／１２０２’は、ＩＳＲがアクティブである間に第１のネットワークから第２のネットワークへのＲＡＴ間モビリティ手順を実施するための手段１２０４と、モビリティ手段１２０４によるＲＡＴ間モビリティ手順の完了に関連してＩＳＲをローカルで非アクティブ化するための手段１２０６と、第２のネットワークにおいて位置管理手順を開始するための手段１２０８と、を含む。装置１２０２／１２０２’は、信号、例えば、モビリティコマンド、をネットワークから受信するための手段１２１０と、アップリンクでの送信のためのデータを管理及び生成するための手段１２１２と、を含むこともできる。
【００９６】
［００９５］上記の手段は、装置１２０２の上記のモジュールのうちの１つ以上及び／又は上記の手段による機能を実行するように構成された装置１２０２’の処理システム１３１４であることができる。上述されるように、処理システム１３１４は、ＴＸプロセッサ６６８と、ＲＸプロセッサ６５６と、コントローラ／プロセッサ６５９と、を含むことができる。従って、一実装では、上記の手段は、上記の手段による機能を実行するように構成されたＴＸプロセッサ６６８、ＲＸプロセッサ６５６、及びコントローラ／プロセッサ６５９であることができる。
【００９７】
［００９６］図１４は、無線通信方法のフローチャート１４００である。その方法は、ＵＥ７０２によって実行することができる。ステップ１４０２において、ＵＥ７０２は、ＩＳＲがアクティブである間にモビリティ手順が要求されると決定する。一例では、モビリティ手順の要求は、ＣＳフォールバックに関してネットワークを再選択することの要求に基づくことができる。他の例では、モビリティ手順の要求は、モビリティコマンドを受信することに基づくことができる。モビリティコマンドは、内部で又はネットワークエンティティによって生成することができる。モビリティコマンドは、第１のネットワークから第２のネットワークに移動するようにＵＥ７０２に命令することができる。例えば、モビリティコマンドは、セル変更命令と、ＵＥ７０２が指定されたターゲットネットワークにアクセスするのを援助するための通信パラメータと、を含むことができる。第１及び第２のネットワークは、異なるＲＡＴを使用することができる。
【００９８】
［００９７］ステップ１４０４において、ＵＥ７０２は、ＩＳＲがＵＥ７０２に関してアクティブであるかどうかを決定することができる。ＩＳＲがアクティブでない場合は、ＵＥ７０２は、ステップ１４１２において通常どおり進行することができ、ＵＥ７０２は、モビリティコマンドの完了を可能にすることができる更新要求を送信することができる。ＩＳＲがアクティブである場合は、ステップ１４０６において、ＵＥ７０２は第２のネットワークに移動する。これは、例えば、モビリティコマンドと関連付けられた通信パラメータを使用した第１のネットワークでの接続状態から第２のネットワークでの接続状態への移行を含むことができる。
【００９９】
［００９８］ステップ１４０８において、ＵＥ７０２は、データがバッファリングされるか又はＵＥ７０２からの送信のための待ち行列に入っているかを任意選択で決定する。データが送信のために入手可能である場合は、ＵＥ７０２は、ステップ１４１２において通常どおり進行することができ、ＵＥ７０２は、モビリティコマンドの完了を可能にすることができるデータを送信することができる。
【０１００】
［００９９］ステップ１４０８において、ＵＥ７０２は、第２のネットワークで位置管理手順を開始することができる。位置管理手順を開始することは、第２のネットワークの基地局に許可を要求するためのアップリンク信号を送信することを含むことができる。ＵＥ７０２は、ＵＥ７０２がアップリンク信号を自動的に生成及び送信するのを可能にするために任意選択で自律的にＩＳＲを非アクティブ化することができる。幾つかの実施形態では、ＵＥ７０２は、ＩＳＲを無視し、ＣＣＯを受信した時点でアップリンク信号で１つ以上の更新要求を送信することができる。アップリンク信号は、セル更新要求を備えることができる。アップリンク信号は、ルーティングエリア更新要求を備えることができる。
【０１０１】
［００１００］一態様では、位置管理手順を開始することは、ＲＡＵ要求、ＴＡＵ要求、及びセル更新要求のうちの１つ以上を備える更新要求をアップリンク信号で送信することを含む。更新要求は、ＵＥ７０２に割り当てられたリソースを解放することをネットワークゲートウェイに行わせることができる。一例では、第２のネットワークは、ＧＥＲＡＮを備え、位置管理手順は、ＲＡＵ手順を備える。他の例では、第２のネットワークは、ＧＥＲＡＮを備え、位置管理手順は、セル更新又はセル通知手順を備える。他の例では、第２のネットワークは、ＵＴＲＡＮ又はＥ−ＵＴＲＡＮを備え、位置管理手順は、ＴＡＵ手順を備える。
【０１０２】
［００１０１］第１のネットワークは、第２のネットワークによって採用されたＲＡＴと異なるＲＡＴを採用することができ、モビリティコマンドは、ＣＣＯコマンドを備える。一例では、第１のネットワークは、ＧＥＲＡＮを備え、第２のネットワークは、ＵＴＲＡＮを備え、モビリティコマンドは、ＣＣＯを備える。他の例では、第１のネットワークは、ＧＥＲＡＮを備え、第２のネットワークは、Ｅ−ＵＴＲＡＮを備え、モビリティコマンドは、ローカルで生成された再選択コマンドを備える。
【０１０３】
［００１０２］幾つかの実施形態では、ＵＥ７０２は、パケットネットワークでの送信のためのデータを生成し、生成されたデータを送信するために第２のネットワークの基地局から許可を入手するためのアップリンク信号を送信する。アップリンク信号を送信することは、チャネル要求を送信することを備える。チャネル要求は、パケットチャネル要求を備えることができる。一例では、位置管理手順を開始することは、基地局を通じてＲＡＵ要求又はＴＡＵ要求をＳＧＳＮに送信することを備える。他の例では、位置管理手順を開始することは、セル更新メッセージ又はセル通知メッセージをＳＧＳＮに送信することを備える。
【０１０４】
［００１０３］幾つかの実施形態では、アップリンク信号は、パケットネットワークでの送信のためにＵＥ７０２によって提供されるデータを含む。パケットネットワークでの送信のために提供されるデータは、パケットネットワークで以前に送信されたデータを備えることができる。パケットネットワークでの送信のために提供されるデータは、パケットネットワークで以前に送信された肯定応答を備えることができる。パケットネットワークでの送信のために提供されるデータは、ネットワーク制御メッセージを備えることができる。
【０１０５】
［００１０４］幾つかの実施形態では、アップリンク信号は、チャネル要求を備える。チャネル要求は、パケットチャネル要求を備えることができる。モビリティコマンドは、許可が受信されたときに完了されたと決定することができる。
【０１０６】
［００１０５］幾つかの実施形態では、モビリティコマンドは、ＣＣＯコマンドを備える。幾つかの実施形態では、第１のネットワークは、ＧＥＲＡＮを備える。第２のネットワークは、ＵＴＲＡＮ又はＥ−ＵＴＲＡＮを備えることができる。第２のネットワークは、ＧＥＲＡＮを備えることができる。幾つかの実施形態では、第１のネットワークは、Ｅ−ＵＴＲＡＮを備え、第2のネットワークは、ＧＥＲＡＮを備える。
【０１０７】
［００１０６］図１５は、典型的な装置１５０２内の異なるモジュール／手段／コンポーネント間でのデータの流れを例示した概念的データフロー図である。装置は、ＵＥ７０２であることができる。装置は、モビリティコマンドを受信及び処理するモジュール１５０４と、ＵＥ７０２のモビリティの幾つかの態様を管理するモジュール１５０６と、セル更新要求、ＲＡＵ要求、及びＴＡＵ要求のうちの１つ以上を処理するモジュール１５０８と、アップリンク送信を管理するモジュール１５１０と、送信モジュール１５１０による送信のためのデータを管理及び生成するモジュール１５１２と、を含む。
【０１０８】
［００１０７］装置は、図１４の上記のフローチャートにおけるアルゴリズムのステップの各々を実行する追加のモジュールを含むことができる。従って、図１４の上記のフローチャートにおける各ステップは、モジュールによって実行することができ、及び装置は、それらのモジュールのうちの１つ以上を含むことができる。モジュールは、記載されたプロセス／アルゴリズムを実施するように構成されたプロセッサによって実装された、プロセッサによる実装のためにコンピュータによって読み取り可能な媒体内に格納された記載されたプロセス／アルゴリズム、又はそれらの組み合わせ、を実施するように特に構成された１つ以上のハードウェアコンポーネントであることができる。
【０１０９】
［００１０８］図１６は、処理システム１６１４を採用する装置１５０２’に関するハードウェア実装の例を示した図である。処理システム１６１４は、概してバス１６２４によって代表されるバスアーキテクチャを用いて実装することができる。バス１６２４は、処理システム１６１４の特定の用途及び全体的な設計上の制約事項に依存してあらゆる数の相互接続バス及びブリッジを含むことができる。バス１６２４は、プロセッサ１６０４によって代表される１つ以上のプロセッサ及び／又はハードウェアモジュール、モジュール１５０４、１５０６、１５０８、１５１０、１５１２、及びコンピュータによって読み取り可能な媒体１６０６をひとつにリンクする。バス１６２４は、様々なその他の回路、例えば、タイミングソース、周辺機器、調圧器、及び電力管理回路、もリンクすることができ、それらは当業においてよく知られており、従って、これ以上は説明されない。
【０１１０】
［００１０９］処理システム１６１４は、トランシーバ１６１０に結合することができる。トランシーバ１６１０は、１つ以上のアンテナ１６２０に結合される、トランシーバ１６１０は、送信媒体を通じて様々なその他の装置と通信するための手段を提供する。処理システム１６１４は、コンピュータによって読み取り可能な媒体１６０６に結合されたプロセッサ１６０４を含む。プロセッサ１６０４は、汎用処理を担当し、コンピュータによって読み取り可能な媒体１６０６に格納されたソフトウェアの実行を含む。ソフトウェアは、プロセッサ１６０４によって実行されたときに、特定の装置に関して上述される様々な機能を実行することを処理システム１６１４に行わせる。コンピュータによって読み取り可能な媒体１６０６は、ソフトウェアを実行するときにプロセッサ１６０４によって処理されるデータを格納するために使用することもできる。処理システムは、モジュール１５０４、１５０６、１５０８、１５１０、及び１５１２のうちの少なくとも１つをさらに含む。モジュールは、コンピュータによって読み取り可能な媒体１６０６内に常駐し／保存され、プロセッサ内で実行するソフトウェアモジュール、プロセッサ１６０４に結合された１つ以上のハードウェアモジュール、又はそれらの組み合わせであることができる。処理システム１６１４は、ＵＥ６５０のコンポーネントであることができ及びメモリ６６０及び／又はＴＸプロセッサ６６８、ＲＸプロセッサ６５６、及びコントローラ／プロセッサ６５９のうちの少なくとも１つを含むことができる。
【０１１１】
［００１１０］一構成では、無線通信のための装置１５０２／１２０２’は、ＩＳＲがアクティブである間にモビリティコマンドを受信するための手段１５０４と、第１のネットワークから第２のネットワークに移動するための手段１５０６と、更新要求を管理するための手段１５０８と、第２のネットワークで送信するためにデータが入手可能であるかどうかを決定し及び送信のためのデータを生成するための手段１５１２と、第２のネットワークの基地局から許可を入手するためにアップリンク信号を送信するための手段１５１０と、を含む。幾つかの実施形態では、手段１５０８は、ＩＳＲをローカルで非アクティブ化することができる。ＩＳＲを非アクティブ化することは、手段１５０８がアップリンク信号を送信するのを可能にすることができる。アップリンク信号は、セル更新要求を備えることができる。アップリンク信号は、ＲＡＵ更新要求を備えることができる。アップリンク信号は、ＴＡＵ更新要求を備えることができる。
【０１１２】
［００１１１］幾つかの実施形態では、モビリティコマンドは、ＣＣＯコマンドを備える。第１のネットワークは、第２のネットワークによって採用されるＲＡＴと異なるＲＡＴを採用することができる。第１のネットワークは、ＧＥＲＡＮを備えることができる。第2のネットワークは、ＧＥＲＡＮ又はＵＴＲＡＮ又はＥ−ＵＴＲＡＮを備えることができる。幾つかの実施形態では、第１のネットワークは、Ｅ−ＵＴＲＡＮを備えることができ、第２のネットワークは、ＧＥＲＡＮを備えることができる。
【０１１３】
［００１１２］幾つかの実施形態では、手段１５１０は、パケットネットワークでの送信のためのデータを提供することができる。パケットネットワークでの送信のために提供されるデータは、パケットネットワークで以前に送信されたデータを備えることができる。パケットネットワークでの送信のために提供されるデータは、パケットネットワークで以前に送信された肯定応答を備えることができる。パケットネットワークでの送信のために提供されるデータは、ネットワーク制御メッセージを備えることができる。アップリンク信号は、チャネル要求を備えることができる。チャネル要求は、パケットチャネル要求を備えることができる。モビリティコマンドは、許可が受信されたときに完了されたと決定することができる。
【０１１４】
［００１１３］上記の手段は、装置１５０２の上記のモジュールのうちの１つ以上及び／又は上記の手段による機能を実行するように構成された装置１５０２’の処理システム１６１４であることができる。上述されるように、処理システム１６１４は、ＴＸプロセッサ６６８と、ＲＸプロセッサ６５６と、コントローラ／プロセッサ６５９と、を含むことができる。従って、一実装では、上記の手段は、上記の手段による機能を実行するように構成されたＴＸプロセッサ６６８、ＲＸプロセッサ６５６、及びコントローラ／プロセッサ６５９であることができる。
【０１１５】
［００１１４］開示されるプロセスにおけるステップの特定の順序又は階層は、典型的なアプローチ法の一例であることが理解される。設計上の選好に基づき、プロセスにおけるステップの特定の順序又は階層は、再編することができることが理解される。さらに、幾つかのステップは、結合すること又は省くことができる。添付された方法請求項は、様々なステップの要素を見本の順序で提示するものであり、提示された特定の順序又は階層に限定されることは意味されない。
【０１１６】
［００１１５］前の説明は、当業者がここにおいて説明される様々な態様を実践するのを可能にすることを目的として提供される。これらの態様に対する様々な変更は、当業者にとって容易に明確になるであろう、及びここにおいて定められる一般原理は、その他の態様に対して適用可能である。このように、請求項は、ここにおいて示される態様に限定されることは意図されず、請求項の文言に一致する最大限の適用範囲が認められるべきであり、単数形の要素への言及は、その旨特記されないかぎり“１つ及び１つのみ”を意味することは意図されず、むしろ“１つ以上”を意味することが意図される。別の特記がない限り、用語“幾つかの”は、１つ以上を意味する。当業者にとって既知であるか又は今後に知られることになる、本開示全体を通じて説明される様々な態様の要素のすべての構造上及び機能上の同等物は、引用によって明示でここにおいて組み入れられており、請求項によって包含されることが意図される。さらに、ここにおいて開示される何物も、該開示が請求項において明示されるかどうかにかかわらず公衆に開放されることは意図されない。いずれの請求項要素も、その要素が句“のための手段”を用いて明示されない限り手段プラス機能（ｍｅａｎｓ−ｐｌｕｓ−ｆｕｎｃｔｉｏｎ）であるとは解釈されるべきでない。
以下に、本願出願の当初の特許請求の範囲に記載された発明を付記する。
［Ｃ１］  ユーザ装置（ＵＥ）によって実行される無線通信方法であって、
アイドルモードシグナリングリダクション（ＩＳＲ）がアクティブである間に第１のネットワークから第２のネットワークへの無線アクセス技術（ＲＡＴ）間モビリティ手順を実施することと、
前記ＲＡＴ間モビリティ手順の完了に関連してＩＳＲをローカルで非アクティブ化することと、
前記第２のネットワークにおいて位置管理手順を開始することと、を備える、方法。
［Ｃ２］  前記第１のネットワークからモビリティコマンドを受信することをさらに備え、前記ＲＡＴ間モビリティ手順は、前記モビリティコマンドに応答して実施されるＣ１に記載の方法。
［Ｃ３］  前記ＵＥは、接続モードにあり、
前記第１のネットワークのモビリティ状態を検出することと、
前記ＵＥによって、前記モビリティ状態を検出することに応答して前記ＲＡＴ間モビリティ手順を開始することと、をさらに備えるＣ１に記載の方法。
［Ｃ４］  前記位置管理手順を開始することは、位置に基づく更新メッセージを送信することを備えるＣ１に記載の方法。
［Ｃ５］  前記位置管理手順を開始することは、ＩＳＲの前記ローカルでの非アクティブ化によってトリガされるＣ４に記載の方法。
［Ｃ６］  前記第２のネットワークにおいて前記位置管理手順を開始することは、前記第１のネットワークにおいて前記ＵＥと関連付けられたリソースの早期解放を容易にするＣ１に記載の方法。
［Ｃ７］  前記ＲＡＴ間モビリティ手順は、前記第１のネットワークから前記第２のネットワークへの回線交換フォールバック（ＣＳＦＢ）がない状態で実施されるＣ１に記載の方法。
［Ｃ８］  ＩＳＲをローカルで非アクティブ化することは、前記第１及び第２のネットワークが同じルーティングエリア内にあると決定されたときに行われるＣ１に記載の方法。
［Ｃ９］  前記第１のネットワークは、ＬＴＥネットワークを備え、前記第２のネットワークは、ＧＳＭネットワークを備え、
前記ＬＴＥネットワークの接続モードにある間にセル変更命令（ＣＣＯ）を受信することと、
前記ＣＣＯに応答して前記ＬＴＥネットワークから前記ＧＳＭネットワークへの前記モビリティ手順を実施することと、をさらに備えるＣ１に記載の方法。
［Ｃ１０］  前記第１のネットワークは、ＧＳＭネットワークを備え、前記第２のネットワークは、ＬＴＥネットワークを備え、
前記ＧＳＭネットワークの接続モードにある間にセル変更命令（ＣＣＯ）を受信することと、
前記ＣＣＯに応答して前記ＧＳＭネットワークから前記ＬＴＥネットワークへの前記モビリティ手順を実施することと、をさらに備えるＣ１に記載の方法。
［Ｃ１１］  前記位置管理手順を開始することは、ＩＳＲをローカルで非アクティブ化することに応答して前記ＬＴＥネットワークにおいてトラッキングエリア更新（ＴＡＵ）を送信することを備えるＣ１０に記載の方法。
［Ｃ１２］  前記ＧＳＭネットワークに関するモビリティ状態を検出することと、
前記ＵＥによって、前記モビリティ状態を検出することに応答してセル再選択手順を開始することと、をさらに備えるＣ１０に記載の方法。
［Ｃ１３］  前記第１のネットワークは、ＧＳＭ／Ｅｄｇｅ無線アクセスネットワーク（ＧＥＲＡＮ）を備え、前記第２のネットワークは、エボルブドユニバーサル移動体通信システム地上無線アクセスネットワーク（Ｅ−ＵＴＲＡＮ）を備えるＣ１に記載の方法。
［Ｃ１４］  前記ＲＡＴ間モビリティ手順は、前記第１のネットワークから受信されたセル変更命令（ＣＣＯ）に応答して実施され、
位置管理手順を開始することは、トラッキングエリア更新（ＴＡＵ）要求を送信することを備えるＣ１３に記載の方法。
［Ｃ１５］  前記ＵＥは、前記ＧＥＲＡＮにおいてパケット転送モード（ＰＴＭ）で接続され、
前記ＲＡＴ間モビリティ手順は、ローカルで開始されたセル再選択に応答して実施され、
位置管理手順を開始することは、トラッキングエリア更新（ＴＡＵ）要求を送信することを備えるＣ１３に記載の方法。
［Ｃ１６］  前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
前記ＲＡＴ間モビリティ手順は、ＣＳフォールバック用でない前記第１のネットワークから受信されたセル変更命令（ＣＣＯ）に応答して実施されるＣ１２に記載の方法。
［Ｃ１７］  前記ＵＥは、前記Ｅ−ＵＴＲＡＮと接続モードであるＣ１６に記載の方法。
［Ｃ１８］  位置管理手順を開始することは、前記ＩＳＲを非アクティブ化した後にルーティングエリア更新（ＲＡＵ）要求を送信することをさらに備えるＣ１６に記載の方法。
［Ｃ１９］  前記位置管理手順を開始することは、セル更新メッセージ又はセル通知メッセージを送信することを含むＣ１６に記載の方法。
［Ｃ２０］  前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
前記モビリティ手順は、回線交換（ＣＳ）フォールバックに関して開始されるＣ１に記載の方法。
［Ｃ２１］  前記第１のネットワークから前記第２のネットワークへの前記移動が失敗したかどうかを決定することと、
前記移動が失敗したと決定されたときにＣＳ能力を有するＲＡＴを自律的に再選択することと、をさらに備えるＣ２０に記載の方法。
［Ｃ２２］  前記ＧＥＲＡＮにおいて低層送信許可を取得することと、
接続管理サービス要求、ページング応答、及び位置更新のうちの１つ以上をモバイル交換センターに送信することと、をさらに備えるＣ２０に記載の方法。
［Ｃ２３］  前記第２のネットワークで送信するためにデータが入手可能であるかどうかを決定することと、
データが入手可能でないと決定されたときにパケットネットワークでの送信のためのデータを生成することと、
前記生成されたデータを送信するために前記第２のネットワークの基地局から許可を入手するためのアップリンク信号を送信することと、をさらに備えるＣ１に記載の方法。
［Ｃ２４］  前記アップリンク信号を送信することは、チャネル要求を送信することを備えるＣ２３に記載の方法。
［Ｃ２５］  前記位置管理手順を開始することは、サービング汎用パケット無線サービスサポートノード（ＳＧＳＮ）にＲＡＵを送信するか又はモビリティ管理エンティティにＴＡＵ要求を送信することを備えるＣ２３に記載の方法。
［Ｃ２６］  前記位置管理手順を開始することは、セル更新メッセージ又はセル通知メッセージをＳＧＳＮに送信することを備えるＣ２３に記載の方法。
［Ｃ２７］  無線通信のための装置であって、
アイドルモードシグナリングリダクション（ＩＳＲ）がアクティブである間に第１のネットワークから第２のネットワークへの無線アクセス技術（ＲＡＴ）間モビリティ手順を実施するための手段と、
前記ＲＡＴ間モビリティ手順の完了に関連してＩＳＲをローカルで非アクティブ化するための手段と、
前記第２のネットワークにおいて位置管理手順を開始するための手段と、を備える、装置。
［Ｃ２８］  前記第１のネットワークからモビリティコマンドを受信するための手段をさらに備え、前記ＲＡＴ間モビリティ手順は前記モビリティコマンドに応答して実施されるＣ１に記載の装置。
［Ｃ２９］  前記ＵＥは、接続モードにあり、
前記第１のネットワークのモビリティ状態を検出するための手段と、
前記ＵＥによって、前記モビリティ状態を検出することに応答して前記ＲＡＴ間モビリティ手順を開始するための手段と、をさらに備えるＣ２７に記載の装置。
［Ｃ３０］  前記位置管理手順を開始するための前記手段は、位置に基づく更新メッセージを送信するように構成されるＣ２７に記載の装置。
［Ｃ３１］  前記位置管理手順を開始するための前記手段は、ＩＳＲの前記ローカルでの非アクティブ化によってトリガされるＣ３０に記載の装置。
［Ｃ３２］  前記第２のネットワークにおいて前記位置管理手順を開始するための前記手段は、前記第１のネットワークにおいて前記ＵＥと関連付けられたリソースの早期解放を容易にするＣ２７に記載の装置。
［Ｃ３３］  前記ＲＡＴ間モビリティ手順を実施するための前記手段は、前記第１のネットワークから前記第２のネットワークへの回線交換フォールバック（ＣＳＦＢ）がない状態で実施するように構成されるＣ２７に記載の装置。
［Ｃ３４］  ＩＳＲをローカルで非アクティブ化するための前記手段は、前記第１及び第２のネットワークが同じルーティングエリア内にあると決定されたときに実施するように構成されるＣ２７に記載の装置。
［Ｃ３５］  前記第１のネットワークは、ＬＴＥネットワークを備え、前記第２のネットワークは、ＧＳＭネットワークを備え、
前記ＬＴＥネットワークの接続モードにある間にセル変更命令（ＣＣＯ）を受信するための手段と、
前記ＣＣＯに応答して前記ＬＴＥネットワークから前記ＧＳＭネットワークへの前記モビリティ手順を実施するための手段と、をさらに備えるＣ２７に記載の装置。
［Ｃ３６］  前記第１のネットワークは、ＧＳＭネットワークを備え、前記第２のネットワークは、ＬＴＥネットワークを備え、
前記ＧＳＭネットワークの接続モードにある間にセル変更命令（ＣＣＯ）を受信するための手段と、
前記ＣＣＯに応答して前記ＧＳＭネットワークから前記ＬＴＥネットワークへの前記モビリティ手順を実施するための手段と、をさらに備えるＣ２７に記載の装置。
［Ｃ３７］  前記位置管理手順を開始するための前記手段は、前記ＩＳＲがローカルで非アクティブ化されることに応答して前記ＬＴＥネットワークにおいてトラッキングエリア更新（ＴＡＵ）を送信するように構成されるＣ３６に記載の装置。
［Ｃ３８］  前記ＧＳＭネットワークに関するモビリティ状態を検出するための手段と、
前記ＵＥによって、前記モビリティ状態を検出することに応答してセル再選択手順を開始するための手段と、をさらに備えるＣ３６に記載の装置。
［Ｃ３９］  前記第１のネットワークは、ＧＳＭ／Ｅｄｇｅ無線アクセスネットワーク（ＧＥＲＡＮ）を備え、前記第２のネットワークは、エボルブドユニバーサル移動体通信システム地上無線アクセスネットワーク（Ｅ−ＵＴＲＡＮ）を備えるＣ２７に記載の装置。
［Ｃ４０］  ＲＡＴ間モビリティ手順を実施するための前記手段は、前記第１のネットワークから受信されたセル変更命令（ＣＣＯ）に応答して実施するように構成され、
位置管理手順を開始するための前記手段は、トラッキングエリア更新（ＴＡＵ）要求を送信するように構成されるＣ３９に記載の装置。
［Ｃ４１］  前記ＵＥは、前記ＧＥＲＡＮにおいてパケット転送モード（ＰＴＭ）モードで接続するように構成され、
ＲＡＴ間モビリティ手順を実施するための前記手段は、ローカルで開始されたセル再選択に応答して実施するように構成され、
位置管理手順を開始するための前記手段は、トラッキングエリア更新（ＴＡＵ）要求を送信するように構成されるＣ３９に記載の装置。
［Ｃ４２］  前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
ＲＡＴ間モビリティ手順を実施するための前記手段は、ＣＳフォールバック用でない前記第１のネットワークから受信されたセル変更命令（ＣＣＯ）に応答して実施するように構成されるＣ３８に記載の装置。
［Ｃ４３］  前記ＵＥは、前記Ｅ−ＵＴＲＡＮと接続モードであるように構成可能であるＣ４２に記載の装置。
［Ｃ４４］  位置管理手順を開始するための前記手段は、前記ＩＳＲの非アクティブ化後にルーティングエリア更新（ＲＡＵ）要求を送信するように構成されるＣ４２に記載の装置。
［Ｃ４５］  前記位置管理手順を開始するための前記手段は、セル更新メッセージ又はセル通知メッセージを送信するように構成されるＣ４２に記載の装置。
［Ｃ４６］  前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
前記モビリティ手順は、回線交換（ＣＳ）フォールバックに関して開始されるＣ２７に記載の装置。
［Ｃ４７］  前記第１のネットワークから前記第２のネットワークへの前記移動が失敗したかどうかを決定するための手段と、
前記移動が失敗したと決定されたときにＣＳ能力を有するＲＡＴを自律的に再選択するための手段と、をさらに備えるＣ４６に記載の装置。
［Ｃ４８］  前記ＧＥＲＡＮにおいて低層送信許可を取得するための手段と、
接続管理サービス要求、ページング応答、及び位置更新のうちの１つ以上をモバイル交換センターに送信するための手段と、をさらに備えるＣ４６に記載の装置。
［Ｃ４９］  前記第２のネットワークで送信するためにデータが入手可能であるかどうかを決定するための手段と、
データが入手可能でないと決定されたときにパケットネットワークでの送信のためのデータを生成するための手段と、
前記生成されたデータを送信するために前記第２のネットワークの基地局から許可を入手するためのアップリンク信号を送信するための手段と、をさらに備えるＣ２７に記載の装置。
［Ｃ５０］  前記アップリンク信号を送信するための前記手段は、チャネル要求を送信するように構成されるＣ４９に記載の装置。
［Ｃ５１］  前記位置管理手順を開始するための前記手段は、サービング汎用パケット無線サービスサポートノード（ＳＧＳＮ）にＲＡＵ要求を送信するか又はモビリティ管理エンティティにＴＡＵ要求を送信するように構成されるＣ４９に記載の装置。
［Ｃ５２］  前記位置管理手順を開始するための前記手段は、セル更新メッセージ又はセル通知メッセージをＳＧＳＮに送信するように構成されるＣ４９に記載の装置。
［Ｃ５３］  無線通信のための装置であって、
アイドルモードシグナリングリダクション（ＩＳＲ）がアクティブである間に第１のネットワークから第２のネットワークへの無線アクセス技術（ＲＡＴ）間モビリティ手順を実施し、
前記ＲＡＴ間モビリティ手順の完了に関連してＩＳＲをローカルで非アクティブ化し、及び
前記第２のネットワークにおいて位置管理手順を開始するように構成される処理システム、を備える、装置。
［Ｃ５４］  コンピュータプログラム製品であって、
アイドルモードシグナリングリダクション（ＩＳＲ）がアクティブである間に第１のネットワークから第２のネットワークへの無線アクセス技術（ＲＡＴ）間モビリティ手順を実施し、
前記ＲＡＴ間モビリティ手順の完了に関連してＩＳＲをローカルで非アクティブ化し、及び
前記第２のネットワークにおいて位置管理手順を開始するためのコードを備えるコンピュータによって読み取り可能な媒体、を備える、コンピュータプログラム製品。
【図１】
0006385916.tif 000002
【図２】
0006385916.tif 000003
【図３】
0006385916.tif 000004
【図４】
0006385916.tif 000005
【図５】
0006385916.tif 000006
【図６】
0006385916.tif 000007
【図７】
0006385916.tif 000008
【図８】
0006385916.tif 000009
【図９】
0006385916.tif 000010
【図１０】
0006385916.tif 000011
【図１１】
0006385916.tif 000012
【図１２】
0006385916.tif 000013
【図１３】
0006385916.tif 000014
【図１４】
0006385916.tif 000015
【図１５】
0006385916.tif 000016
【図１６】
0006385916.tif 000017